【事件の表示】
　特許第５７９６６５０号発明「撮像装置および撮像方法」の特許異議申立事件について、次のとおり決定する。
【結　論】
　特許第５７９６６５０号の明細書、特許請求の範囲を訂正請求書に添付された訂正明細書、特許請求の範囲のとおり、訂正後の請求項〔１〜３、５〜８〕，４，〔９〜１１、１３〜１６〕，１２について訂正することを認める。
　特許第５７９６６５０号の請求項１，３，５，６，８，９，１１，１３，１４，１６に係る特許を取り消す。
　特許第５７９６６５０号の請求項２，４，７，１０，１２，１５に係る特許についての特許異議の申立てを却下する。
【理　由】
第１　手続の経緯
　本件特許第５７９６６５０号（以下、「本件特許」という。）の請求項１ないし１６に係る特許についての出願は、平成２１年１２月７日に出願した特願２００９−２７７５５５号の一部を平成２６年３月６日に新たな特許出願としたものであって、平成２７年８月２８日にその特許権の設定登録（特許公報発行日　平成２７年１０月２１日）がされた。
　その特許について、平成２８年４月２１日に特許異議申立人キヤノン株式会社により請求項１ないし１６に対して特許異議の申立てがなされた。
　その後の手続の経緯は以下のとおりである。
平成２８年　８月　２日　　取消理由通知
平成２８年１０月　３日　　訂正請求・意見書の提出（特許権者）
平成２８年１１月２８日　　意見書の提出（特許異議申立人）
平成２９年　１月３１日　　取消理由通知（決定の予告）
平成２９年　４月　４日　　訂正請求・意見書の提出（特許権者）
平成２９年　５月２２日　　意見書の提出（特許異議申立人）
第２　訂正の適否
１．訂正請求の要旨
　特許権者が請求する訂正請求の要旨は、本件特許の明細書、特許請求の範囲を、本件訂正請求書に添付した訂正明細書、特許請求の範囲のとおり、訂正後の請求項１〜１６について訂正することを求めるというものである。
２．訂正事項
（１）一群の請求項１〜３、５〜８に係る訂正
ア．訂正事項１
　特許請求の範囲の請求項１に「領域指定手段と、　を備え、」とあるのを、「領域指定手段と、　を備え、　
前記第二の領域は横長の帯状形状であり、
と、記録媒体への画像データの記録を指示する記録指示手段と、
前記第二の領域の移動に基づき前記第一の領域についてぼかし処理が施された画像が前記表示手段に表示された状態で前記
前記第二の領域の移動に基づき
であって当該オートフォーカス評価値を取得する領域の中心が前記第二の領域に対応する前記画像データの領域に含まれる領域
、
前記記録指示手段により画像データの記録が指示されると、前記設定された領域に基づく自動合焦動作がなされた撮像による画像データが前記記録媒体に記録され
イ．訂正事項２
　特許請求の範囲の請求項２を削除する。
ウ.訂正事項３
　特許請求の範囲の請求項３に「領域指定手段と、　を備え、」とあるのを、「領域指定手段と、　を備え、　
前記第二の領域は横長の帯状形状であり、
自動合焦動作の実行を指示する自動合焦動作指示手段と、記録媒体への画像データの記録を指示する記録指示手段と、を有し、
前記第二の領域の移動に基づき前記第一の領域についてぼかし処理が施された画像が前記表示手段に表示された状態で前記自動合焦動作指示手段により自動合焦動作の実行が指示されると、前記オートフォーカス評価値を取得する領域が、前記第二の領域の移動に基づき当該オートフォーカス評価値を取得する領域の中心が前記第二の領域に対応する前記画像データの領域に含まれる領域に設定され、
し、
前記記録指示手段により画像データの記録が指示されると、前記設定された領域に基づく自動合焦動作がなされた撮像による画像データが前記記録媒体に記録され
エ．訂正事項４
　特許請求の範囲の請求項６に「識別可能に表示することを特徴とする請求項１、２、５のいずれか１項に記載の」とあるのを、「識別可能に表示することを特徴とする請求項１
、
オ．訂正事項５
　特許請求の範囲の請求項７を削除する。
カ．訂正事項６
　特許請求の範囲の請求項８に「識別可能に表示することを特徴とする請求項１〜３、５〜７のいずれか１項に記載の」とあるのを、「識別可能に表示することを特徴とする請求項１
、
、
キ．訂正事項７
　明細書の段落【００１１】に「領域指定手段と、　を備え、」とあるのを、「領域指定手段と、　を備え、　
前記第二の領域は横長の帯状形状であり、
と、記録媒体への画像データの記録を指示する記録指示手段と、
前記第二の領域の移動に基づき前記第一の領域についてぼかし処理が施された画像が前記表示手段に表示された状態で前記
前記第二の領域の移動に基づき
であって当該オートフォーカス評価値を取得する領域の中心が前記第二の領域に対応する前記画像データの領域に含まれる領域
、
前記記録指示手段により画像データの記録が指示されると、前記設定された領域に基づく自動合焦動作がなされた撮像による画像データが前記記録媒体に記録され
（２）請求項４に係る訂正
ア．訂正事項８
　特許請求の範囲の請求項４を削除する。
（３）一群の請求項９〜１１、１３〜１６に係る訂正
ア．訂正事項９
　特許請求の範囲の請求項９に「またはぼかし処理を施さない第二の領域の少なくともどちらか一方を指定することで、」とあるのを、「またはぼかし処理を施さない
横長の帯状形状である
と、記録媒体への画像データの記録を指示する記録指示工程と、
前記第二の領域の移動に基づき前記第一の領域についてぼかし処理が施された画像が前記表示部に表示された状態で前記
前記第二の領域の移動に基づき
であって当該オートフォーカス評価値を取得する領域の中心が前記第二の領域に対応する前記画像データの領域に含まれる領域
、
前記記録指示工程により画像データの記録が指示されると、前記設定された領域に基づく自動合焦動作がなされた撮像による画像データが前記記録媒体に記録され
イ．訂正事項１０
　特許請求の範囲の請求項１０を削除する。
ウ.訂正事項１１
　特許請求の範囲の請求項１１に「またはぼかし処理を施さない第二の領域の少なくともどちらか一方を指定することで、」とあるのを、「またはぼかし処理を施さない
横長の帯状形状である
自動合焦動作の実行を指示する自動合焦動作指示工程と、記録媒体への画像データの記録を指示する記録指示工程と、を有し、
前記第二の領域の移動に基づき前記第一の領域についてぼかし処理が施された画像が前記表示部に表示された状態で前記自動合焦動作指示工程により自動合焦動作の実行が指示されると、前記オートフォーカス評価値を取得する領域が、前記第二の領域の移動に基づき当該オートフォーカス評価値を取得する領域の中心が前記第二の領域に対応する前記画像データの領域に含まれる領域に設定され、
し、
前記記録指示工程により画像データの記録が指示されると、前記設定された領域に基づく自動合焦動作がなされた撮像による画像データが前記記録媒体に記録され
エ．訂正事項１２
　特許請求の範囲の請求項１４に「識別可能に表示することを特徴とする請求項９、１０、１３のいずれか１項に記載の」とあるのを、「識別可能に表示することを特徴とする請求項９
、
オ．訂正事項１３
　特許請求の範囲の請求項１５を削除する。
カ．訂正事項１４
　特許請求の範囲の請求項１６に「識別可能に表示することを特徴とする請求項９〜１１、１３〜１５のいずれか１項に記載の」とあるのを、「識別可能に表示することを特徴とする請求項９
、
、
（４）請求項１２に係る訂正
ア．訂正事項１５
　特許請求の範囲の請求項１２を削除する。
３．訂正の適合性の判断
（１）一群の請求項について
ア．請求項１〜３、５〜８についての訂正
　訂正事項１〜６に係る訂正前の請求項１〜３、５〜８について、請求項５〜８は請求項１〜３のいずれかを直接的又は間接的に引用しているものであって、訂正事項１〜３によって記載が訂正される請求項１〜３のいずれかに連動して訂正されるものである。
　したがって、訂正前の請求項１〜３、５〜８は、特許法施行規則第４５条の４に規定する関係を有する一群の請求項であるといえ、特許法第１２０条の５第４項の規定に適合するものである。
イ．請求項９〜１１、１３〜１６についての訂正
　訂正事項９〜１４に係る訂正前の請求項９〜１１、１３〜１６について、請求項１３〜１６は請求項９〜１１のいずれかを直接的又は間接的に引用しているものであって、訂正事項９〜１１によって記載が訂正される請求項９〜１１のいずれかに連動して訂正されるものである。
　したがって、訂正前の請求項９〜１１、１３〜１６は、特許法施行規則第４５条の４に規定する関係を有する一群の請求項であるといえ、特許法第１２０条の５第４項の規定に適合するものである。
（２）訂正の目的について
ア．訂正事項１
　訂正事項１は、訂正前の特許請求の範囲の請求項１における「第二の領域」を、「横長の帯状形状」のものに特定して限定する訂正、訂正前の特許請求の範囲の請求項１において、撮像装置が「記録媒体への画像データの記録を指示する記録指示手段」を有し、「前記記録指示手段により画像データの記録が指示されると、前記設定された領域に基づく自動合焦動作がなされた撮像による画像データが前記記録媒体に記録される」ことを特定して限定する訂正、及び、訂正前の特許請求の範囲の請求項１における「自動合焦動作指示手段により自動合焦動作の実行が指示されると、前記オートフォーカス評価値を取得する領域が、前記第二の領域に対応する前記画像データの領域と少なくとも一部が重なる領域に設定される」という撮像装置の動作を、「
前記第二の領域の移動に基づき前記第一の領域についてぼかし処理が施された画像が前記表示手段に表示された状態で前記
前記第二の領域の移動に基づき
であって当該オートフォーカス評価値を取得する領域の中心が前記第二の領域に対応する前記画像データの領域に含まれる領域
　よって、訂正事項１は、特許請求の範囲の減縮を目的とするものである。
イ．訂正事項３
　訂正事項３は、訂正前の特許請求の範囲の請求項３における「第二の領域」を、「横長の帯状形状」のものに特定して限定する訂正、訂正前の特許請求の範囲の請求項３において、撮像装置が「自動合焦動作の実行を指示する自動合焦動作指示手段」を有し、「前記第二の領域の移動に基づき前記第一の領域についてぼかし処理が施された画像が前記表示手段に表示された状態で前記自動合焦動作指示手段により自動合焦動作の実行が指示されると、前記オートフォーカス評価値を取得する領域が、前記第二の領域の移動に基づき当該オートフォーカス評価値を取得する領域の中心が前記第二の領域に対応する前記画像データの領域に含まれる領域に設定され」ということを特定して限定する訂正、及び、訂正前の特許請求の範囲の請求項３において、撮像装置が「記録媒体への画像データの記録を指示する記録指示手段」を有し、「前記記録指示手段により画像データの記録が指示されると、前記設定された領域に基づく自動合焦動作がなされた撮像による画像データが前記記録媒体に記録される」ことを特定して限定する訂正である。
　よって、訂正事項３は、特許請求の範囲の減縮を目的とするものである。
ウ．訂正事項９
　訂正事項９は、訂正前の特許請求の範囲の請求項９における「第二の領域」を、「横長の帯状形状」のものに特定して限定する訂正、訂正前の特許請求の範囲の請求項９において、ミニチュア写真の撮像方法が「記録媒体への画像データの記録を指示する記録指示工程」を有し、「前記記録指示工程により画像データの記録が指示されると、前記設定された領域に基づく自動合焦動作がなされた撮像による画像データが前記記録媒体に記録される」ことを特定して限定する訂正、及び、訂正前の特許請求の範囲の請求項９における「自動合焦動作指示工程により自動合焦動作の実行が指示されると、前記オートフォーカス評価値を取得する領域が、前記第二の領域に対応する前記画像データの領域と少なくとも一部が重なる領域に設定される」というミニチュア写真の撮像方法の動作を、「
前記第二の領域の移動に基づき前記第一の領域についてぼかし処理が施された画像が前記表示部に表示された状態で前記
前記第二の領域の移動に基づき
であって当該オートフォーカス評価値を取得する領域の中心が前記第二の領域に対応する前記画像データの領域に含まれる領域
　よって、訂正事項９は、特許請求の範囲の減縮を目的とするものである。
エ．訂正事項１１
　訂正事項１１は、訂正前の特許請求の範囲の請求項１１における「第二の領域」を、「横長の帯状形状」のものに特定して限定する訂正、訂正前の特許請求の範囲の請求項１１において、ミニチュア写真の撮像方法が「自動合焦動作の実行を指示する自動合焦動作指示工程」を有し、「前記第二の領域の移動に基づき前記第一の領域についてぼかし処理が施された画像が前記表示部に表示された状態で前記自動合焦動作指示工程により自動合焦動作の実行が指示されると、前記オートフォーカス評価値を取得する領域が、前記第二の領域の移動に基づき当該オートフォーカス評価値を取得する領域の中心が前記第二の領域に対応する前記画像データの領域に含まれる領域に設定され」ということを特定して限定する訂正、及び、訂正前の特許請求の範囲の請求項１１において、ミニチュア写真の撮像方法が「記録媒体への画像データの記録を指示する記録指示工程」を有し、「前記記録指示工程により画像データの記録が指示されると、前記設定された領域に基づく自動合焦動作がなされた撮像による画像データが前記記録媒体に記録される」ことを特定して限定する訂正である。
　よって、訂正事項１１は、特許請求の範囲の減縮を目的とするものである。
オ．訂正事項２，５，８，１０，１３，１５
　訂正事項２，５，８，１０，１３，１５は、特許請求の範囲の請求項２，４，７，１０，１２，１５を削除するものであって、特許請求の範囲の減縮を目的とするものである。
カ．訂正事項４，６，１２，１４
　訂正事項４，６，１２，１４は、訂正事項２，５，８，１０，１３，１５に係る特許請求の範囲の請求項２，４，７，１０，１２，１５を削除する訂正に伴って、訂正前の特許請求の範囲の請求項６，８，１４，１６において、それらの請求項が引用する請求項から削除される請求項を除くものであるから、特許請求の範囲の減縮を目的とするものである。
キ．訂正事項７
　訂正事項７は、訂正事項１に係る特許請求の範囲の請求項１の訂正に伴って、請求項１の記載と明細書の記載との整合を図るための訂正であり、明瞭でない記載の釈明を目的とするものである。
ク．まとめ
　以上のように、訂正事項１〜１５は、特許法第１２０条の５第２項ただし書第１号又は第３号の規定に適合するものである。
（３）訂正の範囲、及び特許請求の範囲の拡張・変更について
ア．訂正事項１，３，９，１１
　訂正事項１，３，９，１１の「第二の領域」が「横長の帯状形状」であることは、本件特許の明細書の段落【００４１】の「図１２（ａ），（ｂ）の矩形の注目領域設定の場合」、図１２（ａ），（ｂ）、図１３（ａ），（ｂ）に示される「横長の領域」に基づくものである。
　訂正事項１，３，９，１１の「自動合焦動作指示手段（工程）」を有しており、「前記第二の領域の移動に基づき前記第一の領域についてぼかし処理が施された画像が前記表示手段に表示された状態で前記自動合焦動作指示手段（工程）により自動合焦動作の実行が指示されると、前記オートフォーカス評価値を取得する領域が、前記第二の領域の移動に基づき前記第二の領域に対応する前記画像データの領域と少なくとも一部が重なる領域であって当該オートフォーカス評価値を取得する領域の中心が前記第二の領域に対応する前記画像データの領域に含まれる領域に設定される」ことは、本件特許の明細書の段落【００４１】の「また、モニタリング時にぼかし領域１８ｂを変更する旨のユーザ要求があった場合（Ｓ１７）、これを確認すると（処理Ｓ１７のＹｅｓ）、ぼかし領域１８ｂの設定画面へ移行する（Ｓ１８）。」、段落【００４２】の「この処理Ｓ１８において、領域が変更されると、例えば処理Ｓ１６へ戻り、変更されて領域に基づきぼかし処理を行って、モニタリングする。」、段落【００４３】の「このように、ユーザは注目領域１８ｃやぼかし領域１８ｂを設定することが可能である。このとき、第１レリーズを押下するとＡＦ領域をユーザが設定変更したぼかし領域１８ｂにあわせてＡＦ処理を行う。図１３（ｂ）の場合は、注目領域１８ｃは狭く中心は上に設定されている。（中略）この場合においては、ＡＦ領域２０ｂも同様に狭く中心を上にもっていき領域の範囲も狭くなる。」の記載に基づくものである。
　訂正事項１，３，９，１１の「記録媒体への画像データの記録を指示する記録指示手段（工程）」を有しており、「前記記録指示手段（工程）により画像データの記録が指示されると、前記設定された領域に基づく自動合焦動作がなされた撮像による画像データが前記記録媒体に記録される」ことは、本件特許の明細書の段落【００３４】の「圧縮された画像データは、デジタルカメラのファイルフォーマットＥｘｉｆ準拠となるよう、撮像時の条件やデジタルカメラの機種名をＪＰＥＧデータのヘッダーとして付加し、撮像したＪＰＥＧファイルとしてメモリ部（揮発性：ＳＤＲＡＭ）２６に一時保管される。外部メモリカードＩ／Ｆ部１７は、コンパクトフラッシュ（登録商標）や、ＳＤカードなど複数種類発売されているが、脱着可能に設けられ、前述のＪＰＥＧファイルを格納する。」、段落【００４５】の「第２レリーズが押されると（処理Ｓ２１のＹｅｓ）、ＡＦ領域のＡＦ処理、露出領域の露出処理、ぼかし領域の処理の制限等を行い撮像の準備を行う（Ｓ２２）。シャッター制御を行って、ＣＣＤ／ＣＭＯＳ部２０から主画像が、画像処理部２５へ転送され、メモリ部２６に展開される（Ｓ２３）。これを第１画像とする。また、展開された第１画像をメモリ部２６の別の領域に複製する（Ｓ２４）。複製された画像を第２画像とする。」、段落【００４６】の「第１，第２画像はそれぞれ圧縮され、ＪＰＥＧ画像として画像ファイル化され、ＳＤカードに蓄積される（Ｓ２６）。」の記載に基づくものである。
　以上のことから、訂正事項１，３，９，１１は、願書に添付した明細書、特許請求の範囲または図面に記載した事項の範囲内においてする訂正である。
　また、訂正事項１，３，９，１１は、発明特定事項を限定するものであるから、実質上特許請求の範囲を拡張し、又は変更するものでない。
イ．訂正事項２，５，８，１０，１３，１５
　訂正事項２，５，８，１０，１３，１５は、訂正前の特許請求の範囲の請求項２，４，７，１０，１２，１５を削除するものであるから、願書に添付した明細書、特許請求の範囲または図面に記載した事項の範囲内においてする訂正であり、実質上特許請求の範囲を拡張し、又は変更するものでない。
ウ．訂正事項４，６，１２，１４
　訂正事項４，６，１２，１４は、訂正事項２，５，８，１０，１３，１５に係る特許請求の範囲の請求項２，４，７，１０，１２，１５を削除する訂正に伴って、訂正前の特許請求の範囲の請求項６，８，１４，１６において、それらの請求項が引用する請求項から削除される請求項を除くものであるから、願書に添付した明細書、特許請求の範囲または図面に記載した事項の範囲内においてする訂正であり、実質上特許請求の範囲を拡張し、又は変更するものでない。
エ．訂正事項７
　訂正事項７は、訂正事項１に係る特許請求の範囲の請求項１の訂正に伴って、請求項１の記載と明細書の記載との整合を図るための訂正であるから、願書に添付した明細書、特許請求の範囲または図面に記載した事項の範囲内においてする訂正であり、実質上特許請求の範囲を拡張し、又は変更するものでない。
オ．まとめ
　以上のように、訂正事項１〜１５は、特許法第１２０条の５第９項で準用する同法第１２６条第５項及び第６項の規定に適合するものである。
（４）明細書の訂正について
　願書に添付した明細書の訂正である訂正事項７は、特許請求の範囲の請求項１の記載との整合を図るための訂正であり、訂正事項７と関係する一群の請求項（請求項１〜３、５〜８）の全てが請求の対象とされている。
　よって、訂正事項７は、特許法第１２０条の５第９項で準用する同法第１２６条第４項の規定に適合するものである。
（５）むすび
　以上のとおり、上記訂正請求は、特許法第１２０条の５第２項ただし書第１号又は第３号に掲げる事項を目的としており、かつ、同条第４項及び同条第９項で準用する同法第１２６条第４項から第６項までの規定に適合している。
　したがって、訂正後の請求項〔１〜３、５〜８〕，４，〔９〜１１、１３〜１６〕，１２についての訂正を認める。
第３　当審の判断
１．本件訂正発明
　上記訂正請求により訂正された本件特許の特許請求の範囲の請求項１〜１６に係る発明（以下、項番にしたがい「本件訂正発明１」〜「本件訂正発明１６」という。）は、それぞれ、本件訂正請求書に添付した特許請求の範囲の請求項１〜１６に記載された事項により特定される次のとおりのものである。
【請求項１】
　被写体を撮像して画像データを出力する撮像手段と、
　前記画像データに基づいた表示画像を表示する表示手段と、
　前記表示手段に表示された表示画像の少なくとも一部の領域に、画像処理によりぼかし処理を施すぼかし処理手段と、
　前記表示画像において、前記ぼかし処理手段がぼかし処理を施す第一の領域、またはぼかし処理を施さない第二の領域の少なくともどちらか一方を指定することで、前記ぼかし処理手段がぼかし処理を施す第一の領域を指定する領域指定手段と、
　を備え、
　
前記第二の領域は横長の帯状形状であり、
　画像の撮像を行う際のモニタリング状態において、
　前記領域指定手段は、前記第二の領域を形状と大きさを保って前記表示手段の表示領域内を移動し、
　前記ぼかし処理手段は前記第二の領域の移動に基づき前記第一の領域についてぼかし処理を施し、
　前記第二の領域に対応する前記画像データの領域と少なくとも一部が重なる領域を、オートフォーカス評価値を取得する領域とし、
　自動合焦動作の実行を指示する自動合焦動作指示手段
と、記録媒体への画像データの記録を指示する記録指示手段と、
　
前記第二の領域の移動に基づき前記第一の領域についてぼかし処理が施された画像が前記表示手段に表示された状態で前記
前記第二の領域の移動に基づき
であって当該オートフォーカス評価値を取得する領域の中心が前記第二の領域に対応する前記画像データの領域に含まれる領域
、
　
前記記録指示手段により画像データの記録が指示されると、前記設定された領域に基づく自動合焦動作がなされた撮像による画像データが前記記録媒体に記録され
【請求項２】
（削除）
【請求項３】
　被写体を撮像して画像データを出力する撮像手段と、
　前記画像データに基づいた表示画像を表示する表示手段と、
　前記表示手段に表示された表示画像の少なくとも一部の領域に、画像処理によりぼかし処理を施すぼかし処理手段と、
　前記表示画像において、前記ぼかし処理手段がぼかし処理を施す第一の領域、またはぼかし処理を施さない第二の領域の少なくともどちらか一方を指定することで、前記ぼかし処理手段がぼかし処理を施す第一の領域を指定する領域指定手段と、
　を備え、
　
前記第二の領域は横長の帯状形状であり、
　画像の撮像を行う際のモニタリング状態において、
　前記領域指定手段は、前記第二の領域を形状と大きさを保って前記表示手段の表示領域内を移動し、
　前記ぼかし処理手段は前記第二の領域の移動に基づき前記第一の領域についてぼかし処理を施し、
　前記第二の領域に対応する前記画像データの領域と少なくとも一部が重なる領域を、オートフォーカス評価値を取得する領域とし、
　
自動合焦動作の実行を指示する自動合焦動作指示手段と、記録媒体への画像データの記録を指示する記録指示手段と、を有し、
　
前記第二の領域の移動に基づき前記第一の領域についてぼかし処理が施された画像が前記表示手段に表示された状態で前記自動合焦動作指示手段により自動合焦動作の実行が指示されると、前記オートフォーカス評価値を取得する領域が、前記第二の領域の移動に基づき当該オートフォーカス評価値を取得する領域の中心が前記第二の領域に対応する前記画像データの領域に含まれる領域に設定され、
　前記表示手段に、前記オートフォーカス評価値を取得する領域を識別可能に表示
し、
　
前記記録指示手段により画像データの記録が指示されると、前記設定された領域に基づく自動合焦動作がなされた撮像による画像データが前記記録媒体に記録され
【請求項４】
（削除）
【請求項５】
　前記画像データの少なくとも一部の領域を測光領域として測光する測光手段をさらに備え、
　前記測光領域は、前記第二の領域に対応する前記画像データの領域と少なくとも一部が重なるように設定されることを特徴とする請求項１に記載の撮像装置。
【請求項６】
　前記表示手段に、前記オートフォーカス評価値を取得する領域を識別可能に表示することを特徴とする請求項１
、
【請求項７】
（削除）
【請求項８】
　前記表示手段に、前記第一の領域、または前記第二の領域の少なくともどちらか一方を識別可能に表示することを特徴とする請求項１
、
、
【請求項９】
　ミニチュア写真の撮像方法であって、
　被写体を撮像して画像データを出力する撮像工程と、
　前記画像データに基づいた表示画像を表示する表示部において、前記表示画像の少なくとも一部の領域に、画像処理によりぼかし処理を施すぼかし処理工程と、
　前記表示画像において、前記ぼかし処理工程がぼかし処理を施す第一の領域、またはぼかし処理を施さない
横長の帯状形状である
　を備え、
　モニタリング状態において、
　前記領域指定工程は、前記第二の領域を形状と大きさを保って前記表示部の表示領域内を移動し、
　前記ぼかし処理工程は前記第二の領域の移動に基づき前記第一の領域についてぼかし処理を施し、
　前記第二の領域に対応する前記画像データの領域と少なくとも一部が重なる領域を、オートフォーカス評価値を取得する領域とし、
　自動合焦動作の実行を指示する自動合焦動作指示工程
と、記録媒体への画像データの記録を指示する記録指示工程と、
　
前記第二の領域の移動に基づき前記第一の領域についてぼかし処理が施された画像が前記表示部に表示された状態で前記
前記第二の領域の移動に基づき
であって当該オートフォーカス評価値を取得する領域の中心が前記第二の領域に対応する前記画像データの領域に含まれる領域
、
　
前記記録指示工程により画像データの記録が指示されると、前記設定された領域に基づく自動合焦動作がなされた撮像による画像データが前記記録媒体に記録され
【請求項１０】
（削除）
【請求項１１】
　ミニチュア写真の撮像方法であって、
　被写体を撮像して画像データを出力する撮像工程と、
　前記画像データに基づいた表示画像を表示する表示部において、前記表示画像の少なくとも一部の領域に、画像処理によりぼかし処理を施すぼかし処理工程と、
　前記表示画像において、前記ぼかし処理工程がぼかし処理を施す第一の領域、またはぼかし処理を施さない
横長の帯状形状である
　を備え、
　モニタリング状態において、
　前記領域指定工程は、前記第二の領域を形状と大きさを保って前記表示部の表示領域内を移動し、
　前記ぼかし処理工程は前記第二の領域の移動に基づき前記第一の領域についてぼかし処理を施し、
　前記第二の領域に対応する前記画像データの領域と少なくとも一部が重なる領域を、オートフォーカス評価値を取得する領域とし、
　
自動合焦動作の実行を指示する自動合焦動作指示工程と、記録媒体への画像データの記録を指示する記録指示工程と、を有し、
　
前記第二の領域の移動に基づき前記第一の領域についてぼかし処理が施された画像が前記表示部に表示された状態で前記自動合焦動作指示工程により自動合焦動作の実行が指示されると、前記オートフォーカス評価値を取得する領域が、前記第二の領域の移動に基づき当該オートフォーカス評価値を取得する領域の中心が前記第二の領域に対応する前記画像データの領域に含まれる領域に設定され、
　前記表示部に、前記オートフォーカス評価値を取得する領域を識別可能に表示
し、
　
前記記録指示工程により画像データの記録が指示されると、前記設定された領域に基づく自動合焦動作がなされた撮像による画像データが前記記録媒体に記録され
【請求項１２】
（削除）
【請求項１３】
　前記画像データの少なくとも一部の領域を測光領域として測光する測光工程をさらに備え、
　前記測光領域は、前記第二の領域に対応する前記画像データの領域と少なくとも一部が重なるように設定されて撮像を行うことを特徴とする請求項９に記載の撮像方法。
【請求項１４】
　前記表示部に、前記オートフォーカス評価値を取得する領域を識別可能に表示することを特徴とする請求項９
、
【請求項１５】
（削除）
【請求項１６】
　前記表示部に、前記第一の領域、または第二の領域の少なくともどちらか一方を識別可能に表示することを特徴とする請求項９
、
、１４
２．本件訂正発明１について
（１）本件訂正発明１
　本件訂正発明１は、以下に再掲したとおりのものである。
　なお、説明のために（１Ａ）ないし（１Ｆ）の記号を当審において付与した。以下、構成１Ａ、構成１Ｂ等と称することにする。
（本件訂正発明１）
（１Ａ）被写体を撮像して画像データを出力する撮像手段と、
（１Ｂ）前記画像データに基づいた表示画像を表示する表示手段と、
（１Ｃ）前記表示手段に表示された表示画像の少なくとも一部の領域に、画像処理によりぼかし処理を施すぼかし処理手段と、
（１Ｄ）前記表示画像において、前記ぼかし処理手段がぼかし処理を施す第一の領域、またはぼかし処理を施さない第二の領域の少なくともどちらか一方を指定することで、前記ぼかし処理手段がぼかし処理を施す第一の領域を指定する領域指定手段と、
　を備え、
（１Ｄ−１）前記第二の領域は横長の帯状形状であり、
（１Ｅ）画像の撮像を行う際のモニタリング状態において、
（１Ｅ−１）前記領域指定手段は、前記第二の領域を形状と大きさを保って前記表示手段の表示領域内を移動し、
（１Ｅ−２）前記ぼかし処理手段は前記第二の領域の移動に基づき前記第一の領域についてぼかし処理を施し、
（１Ｅ−３）前記第二の領域に対応する前記画像データの領域と少なくとも一部が重なる領域を、オートフォーカス評価値を取得する領域とし、
（１Ｅ−４）自動合焦動作の実行を指示する自動合焦動作指示手段と、記録媒体への画像データの記録を指示する記録指示手段と、を有し、
（１Ｅ−５）前記第二の領域の移動に基づき前記第一の領域についてぼかし処理が施された画像が前記表示手段に表示された状態で前記自動合焦動作指示手段により自動合焦動作の実行が指示されると、前記オートフォーカス評価値を取得する領域が、前記第二の領域の移動に基づき前記第二の領域に対応する前記画像データの領域と少なくとも一部が重なる領域であって当該オートフォーカス評価値を取得する領域の中心が前記第二の領域に対応する前記画像データの領域に含まれる領域に設定され、
（１Ｅ−６）前記記録指示手段により画像データの記録が指示されると、前記設定された領域に基づく自動合焦動作がなされた撮像による画像データが前記記録媒体に記録される
（１Ｆ）ことを特徴とする撮像装置。
（２）甲号証に記載された発明
ア．甲第１号証について
（ア）甲第１号証に記載された事項
　取消理由に引用した甲第１号証（米国特許出願公開２００６／００８７５７８号）には、「METHOD OF CONTROLLING DIGITAL PHOTOGRAPHING APPARATUS FOR OUT-FOCUSING OPERATION AND DIGITAL PHOTOGRAPHING APPARATUS ADOPTING THE METHOD」（発明の名称：アウトフォーカシング動作のためのデジタル撮影装置を制御する方法及び該方法を採用するデジタル撮影装置）に関し、図面とともに以下の事項が記載されている。
　なお、括弧内に当審で作成した日本語仮訳を添付する。
「[0007] Various embodiments of the present invention provide a digital photographing apparatus and a method of controlling the same which enable general users, i.e. those without knowledge about camera lenses, to easily perform out-focusing.
[0008] According to an embodiment of the present invention, there is provided a method of controlling a digital photographing apparatus that displays an image of a photograph region on a display panel, generates an image signal of the photograph region in response to signals generated by the manipulation of a shutter release button, and stores image data of the image signal in a storage medium. When the digital photographing apparatus is operating in an out-focusing mode, the method includes low-pass filtering image data of regions excluding a setting region in the photograph region.
[0009] In the method, when a user sets an out-focusing mode, a setting region becomes clear while the remaining out-focusing region becomes blurred. Accordingly, general users without knowledge about camera lenses can easily perform out-focusing.」
（[0007]本発明の様々な実施形態は、一般ユーザ、すなわちカメラレンズに関する知識のないユーザがアウトフォーカシングを簡単に行うことができるような、デジタル撮影装置及びその制御方法を提供する。
[0008]本発明の一実施形態によれば、表示パネル上に写真領域の画像を表示し、シャッタレリーズボタンの操作によって生成された信号に応答して、写真領域の画像信号を生成し、画像信号の画像データを記憶媒体に記憶するデジタル撮影装置を制御する方法が提供される。デジタル撮影装置がアウトフォーカシングモードで動作しているとき、この方法は、写真領域内の設定領域以外の領域の画像データにローパスフィルタをかけることを含む。
[0009]この方法では、ユーザがアウトフォーカシングモードを設定すると、設定領域が明瞭になり、一方、残りのアウトフォーカシング領域はぼやける。従って、カメラレンズに関する知識がない一般ユーザが、簡単にアウトフォーカシングを行うことができる。）
「[0026] Referring to FIG.1, the front part of an embodiment of a digital camera 1 according to the present invention includes a microphone MIC, a self-timer lamp 11, a flash 12, a shutter release button 13, a viewfinder 17a, a flash light intensity sensor 19, a power switch 31, a lens unit 20, and a remote receiver 41.
[0027] In a self-timer mode, the self-timer lamp 11 operates for a set period of time from the time when the shutter release button 13 is pressed to the time when an image starts to be captured. When the flash 12 operates, the flash light intensity sensor 19 senses the intensity of the light generated by the flash 12 and relays the sensed intensity of the light to a digital camera processor (DCP) 507 of FIG.3 via a micro-controller 512 of FIG.3. The remote receiver 41 receives command signals, for example, a photographing command signal, from a remote controller (not shown) and relays the photographing command signal to the DCP 507 via the micro-controller 512.
[0028] The shutter release button 13 has two levels. In other words, referring to FIGS.4 and 6, when a user lightly depresses the shutter release button 13 (see FIG.1) to a first level, a first level signal S1 from the shutter release button 13 is turned on. When the user fully depresses the shutter release button 13 to a second level, a second level signal S2 from the shutter release button 13 is turned on.
[0029] Referring to FIG.2, the back of the digital camera 1 according to an embodiment of the present invention includes a mode dial 14, functional buttons 15, a manual focus/delete button 36, a manual adjust/reproduce/terminate button 37, a reproduction mode button 42, a speaker SP, a monitor button 32, an automatic focusing lamp 33, a viewfinder 17b, a flash standby lamp 34, a color LCD panel 35, a wide-angle zoom button 39W, a telephoto zoom button 39T, and an external interface unit 21.
[0030] The mode dial 14 is used for selecting the operating modes of the digital camera 1, such as an out-focusing mode 14OF, a simple photographing mode, a character photographing mode 14ML, a night view photographing mode, a manual photographing mode, a moving-image photographing mode 14MP, a user-setting mode 14MY, and an audio recording mode 14V.
[0031] When a photograph is taken in the out-focusing mode 14OF, image data of regions except for a setting region in the photograph region is low-pass filtered. When the user sets the out-focusing mode 14OF, the setting region becomes clear and the regions except for the setting region become blurred. Therefore, even ordinary users without knowledge about camera lenses can easily perform the out-focusing mode 14OF. The out-focusing mode 14OF will be described in detail later with reference to FIGS. 6 through 13.」
（[0026]図1を参照すると、本発明に係るデジタルカメラ1の一実施形態の前面部は、マイクロフォンMIC、セルフタイマーランプ11、フラッシュ12、シャッタレリーズボタン13、ビューファインダ17a、フラッシュ光強度センサ19、電源スイッチ31、レンズユニット20、及び遠隔レシーバ41を備えている。
[0027]セルフタイマーモードにおいて、セルフタイマーランプ11が、シャッタレリーズボタン13が押された時間から画像の取り込みが開始される時間までの設定された時間の間、動作する。フラッシュ12が作動すると、フラッシュ光強度センサ19がフラッシュ12によって生成された光の強度を検出し、光の検出強度を図3のマイクロコントローラ512を介して図3のデジタルカメラプロセッサ(DCP)507へ伝える。遠隔レシーバ41は、コマンド信号、例えば、リモートコントローラ(図示せず)からの撮影コマンド信号を受けて、マイクロコントローラ512を介して、撮影コマンド信号をDCP507に伝える。
[0028]シャッタレリーズボタン13は、2つのレベルを有している。換言すれば、図4及び図6を参照すると、ユーザがシャッタレリーズボタン13を第1レベルまで軽く押すと（図1参照）、シャッタレリーズボタン13から第1レベル信号S1がオンになる。ユーザがレリーズボタン13を第2レベルまで完全に押すと、シャッタレリーズボタン13から第2レベル信号S2がオンになる。
[0029]図2を参照すると、本発明の一実施形態に係るデジタルカメラ1の裏面は、モードダイアル14、機能ボタン15、マニュアルフォーカシング/削除ボタン36、マニュアル調整/再生/終了ボタン37、再生モードボタン42、スピーカSP、モニタボタン32、自動合焦ランプ33、ビューファインダ17b、フラッシュ待機ランプ34、カラーLCDパネル35、広角ズームボタン39W、望遠ズームボタン39T、及び外部インタフェースユニット21を備えている。
[0030]モードダイヤル14は、デジタルカメラ1の動作モード、例えば、アウトフォーカシングモード14OF、簡単撮影モード、人物撮影モード14ML、夜景撮影モード、マニュアル撮影モード、動画撮影モード14MP、ユーザ設定モード14MY、及び、音声記録モード14V、などを選択するために用いられる。
[0031]アウトフォーカシングモード14OFで写真を撮影すると、写真領域内の設定領域以外の領域の画像データにローパスフィルタがかけられる。ユーザが、アウトフォーカシングモード14OFを設定すると、設定領域が明瞭になり、設定領域以外の領域がぼやける。それゆえに、カメラレンズに関する知識を持たない普通のユーザでも、アウトフォーカシングモード14OFを簡単に実行することができる。アウトフォーカシングモード14OFについては、後に図6から図13を参照して詳細に説明する。）
「[0044] An optical system (OPS) including the lens unit 20 and a filter unit optically processes light. The lens unit 20 of the OPS includes a zoom lens, a focal lens, and a compensation lens.」
（[0044]レンズユニット20及びフィルタユニットを含む光学システム(OPS)が光学的に光を処理する。OPSのレンズユニット20は、ズームレンズ、単焦点レンズ、補償レンズを備えている。）
「[0049] A photoelectric conversion unit (OEC) of a charge coupled device or a complementary metal oxide (CMOS) semiconductor converts light from the OPS into an analog electrical signal. Here, the DCP 507 controls a timing circuit 502 to control the operations of the OEC and a correlation-double-sampler-and-analog-to-digital converter (CDS-ADC) 501. The CDS-ADC 501 processes an analog signal from the OEC, eliminates high frequency noise, adjusts amplitude, and then converts the analog signal into a digital signal.」
（[0049]電荷結合素子又は相補型金属酸化膜(CMOS)半導体の光電変換ユニット(OEC)は、OPSからの光をアナログ電気信号に変換する。ここで、DCP507は、タイミング回路502を制御して、OECと相関二重サンプラ及びアナログ/デジタルコンバータ(CDS-ADC)501の動作を制御する。このCDS-ADC501は、OECからのアナログ信号を処理して、高周波ノイズを除去し、振幅を調整し、そしてアナログ信号をデジタル信号に変換する。）
「[0055] A main program of the DCP 507 of FIG.3 will be now described with reference to FIGS.1 through 4.
[0056] When power is applied to the digital camera 1, the DCP 507 is initialized (S1). After the initialization (S1), the DCP 507 performs a preview mode (S2). In the preview mode, an image input is displayed on the color LCD panel 35. An operation related to the preview mode will be described in detail later with reference to FIG.5.
[0057] When the first level signal S1 from the shutter release button 13 is on after a user presses the shutter release button 13 to the first level (S3), the DCP 507 performs a current photographing mode (S4). The photographing mode (S4) algorithm will be described later with reference to FIGS.6 through 13.」
（[0055]図3のDCP507のメインプログラムについて図1から図4を参照しながら説明する。
[0056]デジタルカメラ1に電力が供給されると、DCP507が初期化される(S1)。初期化(S1)の後、DCP507はプレビューモード(S2)を実行する。プレビューモードでは、入力された画像がカラーLCDパネル35に表示される。プレビューモードに関する動作については、後に図5を参照して詳細に説明される。
[0057]ユーザがシャッタレリーズボタン13を第1レベルまで押した後に、シャッタレリーズボタン13から第1レベル信号S1がオンになると(S3)、DCP507は現在の撮影モードを行う(S4)。撮影モード(S4)アルゴリズムは、図6から図13を参照しながら後述する。）
「[0061] The preview mode (S2) algorithm of FIG.4 will now be described with reference to FIGS.1 through 3 and FIG.5.
[0062] The DCP 507 performs automatic white balancing (AWB) and sets parameters related to the white balance (S201). The DCP 507 performs automatic exposure (AE) and automatic focusing (AF) (S202 and S203).
[0063] The DCP 507 performs gamma correction on input image data (S204) and scales the gamma corrected image data to meet display standards (S205). The DCP 507 converts the scaled input image data from an RGB (red, green, and blue) format into a luminance-chrominance format (S206). The DCP 507 processes the input image data depending on resolution and display location, and filters the input image data (S207).
[0064] The DCP 507 temporarily stores the input image data in the DRAM 504 of FIG.3 (S208). The DCP 507 synthesizes the data temporarily stored in the DRAM 504 of FIG.3 and on-screen display (OSD) data (S209). The DCP 507 converts the synthesized image data from the RGB format into the luminance-chromaticity format (S210) and outputs the image data in the converted format via the LCD driver 514 of FIG.3 (S211).
[0065] FIG.6 is a flowchart of the photographing mode (S4) program illustrated in FIG.4. The photographing mode (S4) program will now be described with reference to FIGS.1 through 3 and FIG.6. Here, the present position of the zoom lens is already set.
[0066] The DCP 507 inspects the remaining capacity of the memory card (S401) and determines whether the memory card has enough capacity to store a digital image signal (S402). If the memory card does not have enough storage capacity, the DCP 507 indicates the lack of capacity of the memory card and ends the photographing mode (S403). If the memory card has enough storage capacity, the following operations are performed.
[0067] The DCP 507 sets white balance and parameters related to the white balance according to a present photographing condition (S404). In the automatic exposure mode (S405), the DCP 507 calculates the exposure by measuring incident luminance, drives the aperture driving motor MA according to the calculated exposure, and sets the exposure time (S406).
[0068] When in the out-focusing mode 14OF, the DCP 507 does out-focusing (S407 and S408b). When not in the out-focusing mode 14OF, the DCP 507 does normal focusing (S407 and S408a). The out-focusing mode 14OF (S408b) algorithm will be described in detail later with reference to FIGS.7 through 13.
[0069] When the first level signal S1 from the shutter release button 13 is on (S409), the DCP 507 continues to perform the following operations.
[0070] The DCP 507 identifies whether the second level signal S2 is on (S410). When the second level signal S2 is not on, it means that the user did not press the shutter release button 13 to the second level to take a photograph. Then, the DCP 507 repeats operations S405 through S410.
[0071] When the second level signal S2 is on, it means that the user pressed the shutter release button 13 to the second level and the DCP 507 creates an image file in the memory card (S411). Next, the DCP 507 captures an image (S412). In other words, the DCP 507 receives still-image data from the CDS-ADC 501.
[0072] When in the out-focusing mode 14OF, the DCP 507 low-pass-filters image data in an out-focusing region, i.e., a region except for a setting region determined through out-focusing (S413 and S414). Accordingly, the setting region becomes clear whereas the remaining out-focusing region becomes blurred.」
（[0061]図4のプレビューモード(S2)アルゴリズムについて、図1から図3及び図5を参照しながら説明する。
[0062]DCP507は、オートホワイトバランス(AWB)を実行し、ホワイトバランスに関するパラメータを設定する(S201)。DCP507は、自動露出(AE)、オートフォーカシング(AF)を実行する(S202及びS203)。
[0063]DCP507は、入力画像データにガンマ補正を施し(S204)、ガンマ補正された画像データを表示標準に合うようにスケーリングする(S205)。DCP507は、スケーリングされた入力画像データを、RGB(赤、緑、及び青)フォーマットから、輝度色度フォーマットに変換する(S206)。DCP507は、解像度及び表示位置に応じて入力された画像データを処理して、入力画像データをフィルタリングする(S207)。
[0064]DCP507は、図3のDRAM504に入力された画像データを一時的に記憶する(S208)。DCP507は、図3のDRAM504に一時保存されたデータと、オンスクリーン表示(OSD)データを合成する(S209)。DCP507は合成された画像データを、RGBフォーマットから輝度色度フォーマットに変換し(S210)、画像データを変換されたフォーマットで図3のLCDドライバ514を介して出力する(S211)。
[0065]図6は、図4に示した撮影モード(S4)プログラムのフローチャートである。撮影モード(S4)プログラムについて、図1から図3及び図6を参照しながら説明する。ここで、ズームレンズの現在位置は既に設定されている。
[0066]DCP507はメモリカードの残存容量を検査し(S401)、メモリカードがデジタル画像信号を格納するのに十分な容量を有するかどうかを判定する(S402)。メモリカードが十分な記憶容量を有していない場合、DCP507はメモリカードの容量の不足を示し、撮影モードを終了する(S403)。メモリカードが十分な記憶容量を有している場合には、以下の動作が行われる。
[0067]DCP507は、現在の撮影条件に応じてホワイトバランスとそのホワイトバランスに関するパラメータを設定する(S404)。自動露光モード(S405)において、DCP507は入射輝度を測定することによって露出を計算し、計算された露出に応じて絞り駆動モータMAを駆動し、露光時間を設定する(S406)。
[0068]アウトフォーカシングモード14OFの場合、DCP507はアウトフォーカシングを行う(S407及びS408b)。アウトフォーカシングモード14OFでない場合、DCP507は通常のフォーカシングを行う(S407及びS408a)。アウトフォーカシングモード14OF(S408b)アルゴリズムは、図7から図13を参照しながら後に詳細に説明する。
[0069]シャッタレリーズボタン13からの第1レベル信号S1がオンである場合(S409)、DCP507は次のような動作を実行し続ける。
[0070]DCP507は、第2レベル信号S2がオンであるか否かを判断する(S410)。第2レベル信号S2がオンされていない場合には、ユーザがシャッタレリーズボタン13を第2レベルまで押さず写真を撮影しなかったことを意味する。DCP507はS405からS410の動作を繰り返す。
[0071]第2レベル信号S2がオンである場合は、ユーザがシャッタレリーズボタン13を第2レベルまで押したことを意味し、DCP507はメモリカード内に画像ファイルを生成する(S411)。次に、DCP507は画像を取得する(S412)。つまり、DCP507はCDS-ADC501から静止画像データを受信する。
[0072]アウトフォーカシングモード14OFでは、DCP507はアウトフォーカシング領域、すなわち、アウトフォーカシングを通して決定された設定領域以外の領域の画像データにローパスフィルタをかける(S413及びS414)。よって、設定領域は明瞭となり、残りのアウトフォーカシング領域はぼやける。）
「[0075] The DCP 507 compresses the received still-image data (S415). The DCP 507 stores the compressed still-image data in the image file (S416).
[0076] Referring to FIG.7, in the out-focusing operation (S408b) illustrated in FIG.6, if the type of the out-focusing mode 14OF set by the user is optional, the DCP 507 performs optional out-focusing (S701 and S702). If the type of the out-focusing mode 14OF set by the user is automatic, the DCP 507 performs automatic out-focusing (S701 and S703).
[0077] FIG. 8 is a flowchart of the optional out-focusing (S702) program of FIG.7. FIG.9 illustrates a screen displayed on the color LCD panel 35 of FIGS.2 and 3 as a result of performing operation S801 of FIG.8 according to an embodiment of the present invention. The optional out-focusing (S702) program will now be described with reference to FIGS.1 through 3, 8, and 9.
[0078] The DCP 507 displays a target window on the color LCD panel 35 using the well-known graphic user interface (GUI) method (S801). Here, the target window 35a is smaller than the photograph region.
[0079] The DCP 507 changes the position and size of the target window 35a according to signals input by the user (S802 through S805). Specifically, if the user generates a direction signal by pressing the self-timer/right button 15R, the flash/left button 15L, the macro/down button 15D, or the voice-memo/up button 15U, the DCP 507 moves the target window 35a in response to the direction signal (S802 and S803). In addition, the DCP 507 reduces or enlarges the target window 35a in response to a zooming signal generated by the wide angle-zoom button 39W or the telephoto-zoom button 39T (S804 and S805). Operations S802 through S805 are repeated until a confirmation signal is generated by the menu/select-confirm button 15M.
[0080] When the confirmation signal is generated by the menu/select-confirm button 15M, the DCP 507 sets regions excluding a region of the target window 35a as the out-focusing region (S806 and S807). Last, the DCP 507 performs normal focusing on the region of the target window 35a (S808).」
（[0075]DCP507は、受信した静止画像データを圧縮する(S415)。DCP507は、圧縮された静止画像データを画像ファイルに保存する(S416)。
[0076]図7を参照すると、図6に示した合焦動作(S408b)において、ユーザによって設定されたアウトフォーカシングモード14OFのタイプが選択的である場合、DCP507は選択的アウトフォーカシングを行う(S701及びS702)。ユーザによって設定されたアウトフォーカシングモード14OFのタイプが自動であれば、DCP507は自動アウトフォーカシングを行う(S701及びS703)。
[0077]図8は、図7の選択的アウトフォーカシング(S702)プログラムのフローチャートである。図9は、本発明の一実施形態に係る図8の操作S801を実行した結果として、図2及び図3のカラーLCDパネル35に表示される画面を示す。選択的アウトフォーカシング(S702)プログラムは、図1から図3、図8、及び図9を参照して説明される。
[0078]DCP507は周知のグラフィックユーザインターフェース(GUI)方式を用いて、カラーLCDパネル35に対象ウィンドウを表示する(S801)。対象ウィンドウ35aは、写真領域よりも小さい。
[0079]DCP507は、ユーザにより入力された信号に応じて対象ウィンドウ35aの位置及びサイズを変更する(S802からS805)。具体的には、ユーザがセルフタイマー/右ボタン15R、フラッシュ/左ボタン15L、マクロ/下ボタン15D、又は音声メモ/上ボタン15Uを押して方向信号を生成すると、DCP507は方向信号に応じて対象ウィンドウ35aを移動させる(S802及びS803)。さらに、DCP507は、広角ズームボタン39Wや望遠ズームボタン39Tによって生成されるズーム信号に応答して、対象ウィンドウ35aを縮小又は拡大する(S804及びS805)。確認信号がメニュー/選択確認ボタン15Mによって生成されるまで、動作802からS805が繰り返される。
[0080]メニュー/選択確認ボタン15Mによって確認信号が生成されると、DCP507は対象ウィンドウ35aの領域を除いた領域をアウトフォーカシング領域として設定する(S806及びS807)。最後に、DCP507が対象ウィンドウ35aの領域において、通常のフォーカシングを実行する(S808)。）
（イ）甲第１号証に記載された発明
　上記甲第１号証の記載事項及び関連する図面並びにこの分野における技術常識を考慮して甲第１号証に記載された発明を認定する。
ａ．デジタルカメラ
　[0007]〜[0009]，[0030]，[0031]の記載によれば、甲第１号証には、アウトフォーカシングを簡単に行うことができる『アウトフォーカシングモードを有するデジタルカメラ』に関する発明が記載されている。
ｂ．デジタルカメラの構成
　[0026]〜[0029]，図1〜図3の記載によれば、デジタルカメラは、『デジタルカメラプロセッサ（ＤＣＰ）』、第１レベルと第２レベルの２つのレベルを有するシャッタレリーズボタン、モードダイヤル、機能ボタン等の各種操作ボタン、カラーＬＣＤパネル等を備えており、[0044]，[0049]，[0071]の記載によれば、『光学システム（ＯＰＳ）からの光を変換して画像データを出力する光電変換ユニット、相関二重サンプラ及びアナログ／デジタルコンバータ』を備えている。
　また、[0030]，[0031]の記載によれば、モードダイヤルによりアウトフォーカシングモードを選択して写真を撮影すると、写真領域内の設定領域以外の領域の画像データにローパスフィルタがかけられる。
ｃ．プレビューモード
　[0055]〜[0057]，[0061]〜[0064]，図4，図5の記載によれば、デジタルカメラは、電源が供給されるとＤＣＰの制御によりプレビューモードが実行される。プレビューモードでは、入力された画像データがカラーＬＣＤパネルに表示され、自動露出（ＡＥ）、オートフォーカシング（ＡＦ）が実行される。
　よって、デジタルカメラは『入力された画像データが表示されるカラーＬＣＤパネル』を備えている。
ｄ．撮影モード（第１レベル）
　[0057]，[0065]〜[0068]，[0070]，[0076]〜[0080]，図4，図6〜図9の記載によれば、デジタルカメラは、シャッタレリーズボタンが第１レベルまで押されると、ＤＣＰの制御により撮影モードが実行される。ここで、アウトフォーカシングモードのタイプが選択的アウトフォーカシングに設定されていると、ＤＣＰはカラーＬＣＤパネルに写真領域より小さい選択的アウトフォーカシングの対象ウィンドウを表示する。このとき、カラーＬＣＤパネルには、プレビューモードに引き続いて入力された画像データが表示されているから、対象ウィンドウは、図9に示されるように、画像データの一部の矩形領域を示すものとして表示される。
　そして、ＤＣＰは、ユーザの各種操作ボタンによる指示に応じて、対象ウィンドウの位置を移動させる。
　さらに、メニュー／選択確認ボタンによって確認信号が生成されると、ＤＣＰは、対象ウィンドウの領域を除いた領域をアウトフォーカシング領域として設定し、対象ウィンドウの領域において通常のフォーカシングを実行する。
　また、シャッタレリーズボタンが第２レベルまで押されていない場合には、これらの動作を繰り返すこととなる。
　すなわち、デジタルカメラのＤＣＰは、『シャッタレリーズボタンが第１レベルまで押された状態において、入力された画像データが表示されるカラーＬＣＤパネルに画像データの一部の矩形領域を示す選択的アウトフォーカシングの対象ウィンドウを表示し、ユーザの各種操作ボタンによる指示に応じて、対象ウィンドウの位置を移動させ、メニュー／選択確認ボタンによって確認信号が生成されると、対象ウィンドウの領域を除いた領域をアウトフォーカシング領域として設定し、対象ウィンドウの領域において通常のフォーカシングを実行し、シャッタレリーズボタンが第２レベルまで押されていない場合には、これらの動作を繰り返す』ものである。
ｅ．撮影モード（第２レベル）
　[0069]〜[0072]，[0075]，図6の記載によれば、デジタルカメラのＤＣＰは、シャッタレリーズボタンが第２レベルまで押されると、画像を取得して画像データを受信し、画像データのアウトフォーカシング領域にローパスフィルタをかけ、メモリカード内の画像ファイルに保存する。
　すなわち、デジタルカメラのＤＣＰは、『シャッタレリーズボタンが第２レベルまで押された状態において取得された画像データのアウトフォーカシング領域にローパスフィルタをかけ、メモリカード内の画像ファイルに保存』する。
ｆ．まとめ
　以上より、甲第１号証には、次の発明（以下、「甲１発明１」という。）が記載されていると認められる。
　なお、説明のために（１ａ）ないし（１ｈ）の記号を当審において付与した。以下、構成１ａ、構成１ｂ等と称することにする。
（甲１発明１）
（１ａ）アウトフォーカシングモードを有するデジタルカメラであって、
（１ｂ）デジタルカメラプロセッサ（ＤＣＰ）と、
（１ｃ）光学システム（ＯＰＳ）からの光を変換して画像データを出力する光電変換ユニット、相関二重サンプラ及びアナログ／デジタルコンバータと、
（１ｄ）入力された画像データが表示されるカラーＬＣＤパネルと、
　を備え、
（１ｅ）デジタルカメラプロセッサ（ＤＣＰ）は、
（１ｆ）シャッタレリーズボタンが第１レベルまで押された状態において、
（１ｆ−１）入力された画像データが表示されるカラーＬＣＤパネルに画像データの一部の矩形領域を示す選択的アウトフォーカシングの対象ウィンドウを表示し、
（１ｆ−２）ユーザの各種操作ボタンによる指示に応じて、対象ウィンドウの位置を移動させ、
（１ｆ−３）メニュー／選択確認ボタンによって確認信号が生成されると、対象ウィンドウの領域を除いた領域をアウトフォーカシング領域として設定し、対象ウィンドウの領域において通常のフォーカシングを実行し、
（１ｆ−４）シャッタレリーズボタンが第２レベルまで押されていない場合には、これらの動作を繰り返し、
（１ｇ）シャッタレリーズボタンが第２レベルまで押された状態において取得された画像データのアウトフォーカシング領域にローパスフィルタをかけ、メモリカード内の画像ファイルに保存する、
（１ｈ）デジタルカメラ。
イ．甲第２号証について
　取消理由に引用した甲第２号証（特開２００７−１２４２７９号公報）には、「画像処理装置」（発明の名称）に関し、図面とともに以下の事項が記載されている。
【００２３】
＜スルー画撮影動作＞
　本実施形態の撮像装置は、静止画本撮影動作を行う際に、操作部材７からレリーズ釦の半押し操作に基づく半押し操作信号が制御回路５へ入力されると、上述したＡＦ動作を伴ったスルー画撮影動作を行う。スルー画撮影動作は、所定のフレームレートで繰り返し行われており、レリーズ釦の半押し操作中、スルー画撮影動作と並行して、上述したＡＦ動作が行われ、撮影されたスルー画像がモニタ１３に表示される。
【００４４】
　ステップＳ１０４において、制御回路５は、スルー画用の映像信号のうち、ステップＳ１０３で抽出した主要被写体以外の領域（すなわち背景領域）に対する画像ぼけの付加をデータ処理回路１０へ指示し、ステップＳ１０５へ進む。データ処理回路１０が画像ぼけの付加および解像度変換処理を施した信号を表示制御回路１４へ出力することにより、画像ぼけが付加されたスルー画像がモニタ１３に表示される。
【００６１】
　ステップＳ１１４において、制御回路５は、本撮影で得た画像信号に対し、全押し操作信号が入力される直前のスルー画像に対して付加していた画像ぼけと同様の画像ぼけを付加する処理（画像ぼけを付加する対象領域および画像ぼけの付加量を同様にする）を行う。この点について説明する。本撮影で得た画像とスルー画像では、画素数が異なる。通常、画像の空間周波数は、単位距離(例えば１mm)の間にいくつの縞があるかで定義される。上記の「同様の画像ぼけを付加する」とは、空間周波数を、画像の画面の大きさを基準として正規化したもの(上記の単位距離を画面の大きさとしたもの。すなわち、画面内のある領域に何本の縞があるかについて、１画面の縦、横などの大きさを基準として正規化して示したもの。例えば画面のある領域に縦縞があるときに、これが画面の横方向いっぱいまであった場合に何本の縞になるか。)で考え、画像ぼけ付加後の、両画像の光学的なぼけを含む空間周波数特性が略同じになるように設定することを意味する。
　上記の記載事項によれば、甲第２号証には次の発明（以下、「甲２発明１」という。）が記載されていると認められる。
（甲２発明１）
　撮像装置において、スルー画用の映像信号のうち主要被写体以外の領域（すなわち背景領域）に対して画像ぼけの付加を施して画像ぼけが付加されたスルー画像をモニタに表示し、本撮影で得た画像信号に対し全押し操作信号が入力される直前のスルー画像に対して付加していた画像ぼけと同様の画像ぼけを付加する処理を行うこと。
（３）対比
　本件訂正発明１と甲１発明１とを対比する。
ア．本件訂正発明１の構成１Ａと甲１発明１の構成１ｃとの対比
　甲１発明１の「光学システム（ＯＰＳ）からの光を変換して画像データを出力する光電変換ユニット、相関二重サンプラ及びアナログ／デジタルコンバータ」は、被写体を撮像して画像データを出力するものといえ、本件訂正発明１の「被写体を撮像して画像データを出力する撮像手段」に相当する。
イ．本件訂正発明１の構成１Ｂと甲１発明１の構成１ｄとの対比
　甲１発明１の「入力された画像データが表示されるカラーＬＣＤパネル」は、撮影された画像データに基づいた表示画像を表示するものといえ、本件訂正発明１の「前記画像データに基づいた表示画像を表示する表示手段」に相当する。
ウ．本件訂正発明１の構成１Ｃと甲１発明１の構成１ｂ、１ｅ、１ｇとの対比
　甲１発明１は、「デジタルカメラプロセッサ（ＤＣＰ）」が、「シャッタレリーズボタンが第２レベルまで押された状態において取得された画像データのアウトフォーカシング領域にローパスフィルタをかける」ものであるので、ＤＣＰは、取得された画像データの少なくとも一部の領域に、画像処理によりぼかし処理を施す手段として機能している。
　よって、甲１発明１は、本件訂正発明１と『画像の少なくとも一部の領域に、画像処理によりぼかし処理を施すぼかし処理手段』を備えているという点で一致する。
　ただし、当該ぼかし処理手段が処理の対象とする画像は、本件訂正発明１では「前記表示手段に表示された表示画像」であるのに対し、甲１発明１は、「シャッタレリーズボタンが第２レベルまで押された状態において取得された画像データ」である点で両者は相違する。
エ．本件訂正発明１の構成１Ｄ、１Ｄ−１と甲１発明１の構成１ｂ、１ｅ、１ｆ−１との対比
　甲１発明１は、「デジタルカメラプロセッサ（ＤＣＰ）」が、「入力された画像データが表示されるカラーＬＣＤパネルに画像データの一部の矩形領域を示す選択的アウトフォーカシングの対象ウィンドウを表示」するものである。
　ここで、甲１発明１の「選択的アウトフォーカシングの対象ウィンドウ」は、構成１ｆ−３にあるように、「対象ウィンドウの領域を除いた領域をアウトフォーカシング領域として設定」するものであり、構成１ｇにあるように、「取得された画像データのアウトフォーカシング領域にローパスフィルタをかける」ものであるから、対象ウィンドウの領域を除いた領域、すなわちアウトフォーカシング領域が画像データにローパスフィルタをかける領域であり、対象ウィンドウの領域が画像データにローパスフィルタをかけない領域となる。
　そして、アウトフォーカシング領域は、本件訂正発明１のぼかし処理を施す第一の領域に相当し、対象ウィンドウの領域は、本件訂正発明１のぼかし処理を施さない第二の領域に相当するものといえ、甲１発明１のカラーＬＣＤパネルに対象ウィンドウを表示するデジタルカメラプロセッサ（ＤＣＰ）は、対象ウィンドウあるいはアウトフォーカシング領域を規定するものであるから、ぼかし処理を施す第一の領域、またはぼかし処理を施さない第二の領域を指定する手段として機能している。
　よって、甲１発明１は、本件訂正発明１と『前記表示画像において、前記ぼかし処理手段がぼかし処理を施す第一の領域、またはぼかし処理を施さない第二の領域の少なくともどちらか一方を指定することで、前記ぼかし処理手段がぼかし処理を施す第一の領域を指定する領域指定手段』を備えているという点で一致する。
　ただし、ぼかし処理手段が処理の対象とする画像が、本件訂正発明１と甲１発明１とでは異なることは、上記ウにおいて認定したとおりである。
　また、甲１発明１の「選択的アウトフォーカシングの対象ウィンドウ」は「矩形領域」を示すものであり、本件訂正発明１の「横長の帯状形状」も矩形領域といえるから、甲１発明１は、本件訂正発明１と『前記第二の領域は矩形領域であり』という点で一致する。
　ただし、矩形領域に関し、本件訂正発明１では「横長の帯状形状」であるのに対し、甲１発明１では、そのようなものであるとは特定されていない点で両者は相違する。
オ．本件訂正発明１の構成１Ｅないし１Ｅ−６と甲１発明１の構成１ｂ、１ｅ、１ｆないし１ｆ−４、１ｇとの対比
　本件訂正発明１は、構成１Ｅの「画像の撮像を行う際のモニタリング状態」において、構成１Ｅ−１から１Ｅ−６の処理を行うものであり、この点を踏まえて検討する。
（ア）構成１Ｅについて
　甲１発明１は、構成１ｆの「シャッタレリーズボタンが第１レベルまで押された状態」において、構成１ｆ−１から１ｆ−４、１ｇの処理を行うものである。
　ここで、「シャッタレリーズボタンが第１レベルまで押された状態」とは、構成１ｄ、１ｆ−１にあるようにカラーＬＣＤパネルに画像データが表示された状態であり、構成１ｇにあるように、その状態からシャッタレリーズボタンが第２レベルまで押された状態になると画像データが取得されて保存されるから、撮影しようとする画像をモニタリングしている状態であるといえる。
　よって、甲１発明１の構成１ｆの「シャッタレリーズボタンが第１レベルまで押された状態」は、本件訂正発明１の構成１Ｅの「画像の撮像を行う際のモニタリング状態」に相当するものといえる。
（イ）構成１Ｅ−１について
　甲１発明１のデジタルカメラプロセッサ（ＤＣＰ）は、構成１ｆ−２にあるように「ユーザの各種操作ボタンによる指示に応じて、対象ウィンドウの位置を移動させ」ており、対象ウィンドウは、大きさを変えずにカラーＬＣＤパネル表示される画像データ内を移動するものといえる。
　そして、対象ウィンドウはぼかし処理を施さない第二の領域に相当するものであるから、領域指定手段として機能しているＤＣＰは、本件訂正発明１の構成１Ｅ−１の「前記領域指定手段は、前記第二の領域を形状と大きさを保って前記表示手段の表示領域内を移動し」という構成に相当するものである。
（ウ）構成１Ｅ−２について
　甲１発明１のデジタルカメラプロセッサ（ＤＣＰ）は、上記ウにおいて検討したように、「シャッタレリーズボタンが第２レベルまで押された状態において取得された画像データ」に対してぼかし処理を施すものであり、「表示手段に表示された表示画像」に対してぼかし処理を施すものではないから、モニタリング状態においてぼかし処理を施すものではない。
　よって、甲１発明１は、本件訂正発明１の構成１Ｅ−２の「前記ぼかし処理手段は前記第二の領域の移動に基づき前記第一の領域についてぼかし処理を施し」という構成を有していない点で相違する。
（エ）構成１Ｅ−３について
　甲１発明１のデジタルカメラプロセッサ（ＤＣＰ）は、構成１ｆ−３にあるように「メニュー／選択確認ボタンによって確認信号が生成されると」、「対象ウィンドウの領域において通常のフォーカシングを実行」するものであるから、「メニュー／選択確認ボタン」を操作すると、「対象ウィンドウの領域」の画像を用いて自動合焦動作（オートフォーカス）を行うものである。
　そして、「対象ウィンドウの領域」は、ぼかし処理を施さない第二の領域に相当するものであり、「対象ウィンドウの領域」の画像を用いて自動合焦動作（オートフォーカス）を行うことは、「対象ウィンドウの領域」に対応する画像データの領域と少なくとも一部が重なる領域を、オートフォーカス評価値を取得する領域とすることといえる。
　すなわち、「対象ウィンドウの領域」の画像を用いて自動合焦動作（オートフォーカス）を行うことは、本件訂正発明１の構成１Ｅ−３の「前記第二の領域に対応する前記画像データの領域と少なくとも一部が重なる領域を、オートフォーカス評価値を取得する領域」とすることに相当する。
（オ）構成１Ｅ−４について
　上記（エ）において検討したように、甲１発明１のデジタルカメラプロセッサ（ＤＣＰ）は「メニュー／選択確認ボタン」を操作すると「対象ウィンドウの領域」の画像を用いて自動合焦動作（オートフォーカス）を行うものであるから、甲１発明１の「メニュー／選択確認ボタン」は、自動合焦動作の実行を指示するものといえ、本件訂正発明１の構成１Ｅ−４の「自動合焦動作の実行を指示する自動合焦動作指示手段」に相当する。
　また、甲１発明１のデジタルカメラプロセッサ（ＤＣＰ）は、構成１ｇのように「シャッタレリーズボタンが第２レベルまで押された状態において取得された画像データのアウトフォーカシング領域にローパスフィルタをかけ、メモリカード内の画像ファイルに保存する」ものである。
　すなわち、甲１発明１の「第２レベルまで押された状態とされるシャッタレリーズボタン」は、その操作により画像データをメモリカードに保存するものであるから、本件訂正発明１の構成１Ｅ−４の「記録媒体への画像データの記録を指示する記録指示手段」に相当する。
　よって、甲１発明１が「メニュー／選択確認ボタン」と「シャッタレリーズボタンの第２レベル」を有していることは、本件訂正発明１の構成１Ｅ−４の「自動合焦動作の実行を指示する自動合焦動作指示手段と、記録媒体への画像データの記録を指示する記録指示手段と、を有し、」と一致する。
（カ）構成１Ｅ−５について
　上記（エ）、（オ）において検討したように、甲１発明１の「メニュー／選択確認ボタン」を操作すると「対象ウィンドウの領域」の画像を用いて自動合焦動作（オートフォーカス）を行うことは、「自動合焦動作の実行を指示する自動合焦動作指示手段」の指示により、「第二の領域に対応する画像データの領域と少なくとも一部が重なる領域を、オートフォーカス評価値を取得する領域とする」ことに相当する。
　さらに、甲１発明１の「対象ウィンドウの領域」の画像を用いて自動合焦動作（オートフォーカス）を行うことは、「オートフォーカス評価値を取得する領域」の中心が「第二の領域に対応する画像データの領域」に含まれることでもある。
　また、甲１発明１は、構成１ｆ−４にあるように、シャッタレリーズボタンが第２レベルまで押されていない場合には、対象ウィンドウの位置を移動させ、対象ウィンドウの領域おいてフォーカシングを実行する動作を繰り返すものであり、フォーカシングを実行する領域は対象ウィンドウの位置を移動に応じて更新されるものであるから、「オートフォーカス評価値を取得する領域」は「第二の領域の移動に基づき」変更されるものである。
　これらのことから、甲１発明１の構成１ｆ−３及び構成１ｆ−４は、本件訂正発明１の構成１Ｅ−５の「前記自動合焦動作指示手段により自動合焦動作の実行が指示されると、前記オートフォーカス評価値を取得する領域が、前記第二の領域の移動に基づき前記第二の領域に対応する前記画像データの領域と少なくとも一部が重なる領域であって当該オートフォーカス評価値を取得する領域の中心が前記第二の領域に対応する前記画像データの領域に含まれる領域に設定される」ことに相当する。
　ただし、本件訂正発明１の構成１Ｅ−５は、「前記第二の領域の移動に基づき前記第一の領域についてぼかし処理が施された画像が前記表示手段に表示された状態で」前記自動合焦動作指示手段により自動合焦動作の実行が指示されるものであるのに対し、甲１発明１のＤＣＰは、上記（ウ）において検討したように、モニタリング状態においてぼかし処理を施すものではない。
　したがって、本件訂正発明１は、「前記第二の領域の移動に基づき前記第一の領域についてぼかし処理が施された画像が前記表示手段に表示された状態で」前記自動合焦動作指示手段により自動合焦動作の実行が指示されるものであるのに対し、甲１発明１は、そのような構成を有していない点で両者は相違する。
（キ）構成１Ｅ−６について
　上記（オ）において検討したように、甲１発明１の構成１ｇの「第２レベルまで押された状態とされるシャッタレリーズボタン」は、「記録媒体への画像データの記録を指示する記録指示手段」に相当するものである。
　そして、構成１ｇの「シャッタレリーズボタンが第２レベルまで押された状態において取得された画像データ」は、構成１ｆ−３において「対象ウィンドウの領域において通常のフォーカシングが実行」された画像データであるから、本件訂正発明１の「設定された領域に基づく自動合焦動作がなされた撮像による画像データ」に相当する。
　これらのことから、甲１発明１の構成１ｇは、本件訂正発明１の「前記記録指示手段により画像データの記録が指示されると、前記設定された領域に基づく自動合焦動作がなされた撮像による画像データが前記記録媒体に記録される」ことに相当する。
カ．本件訂正発明１の構成１Ｆと甲１発明１の構成１ａ、１ｈとの対比
　甲１発明１の「アウトフォーカシングモードを有するデジタルカメラ」は、本件訂正発明１の「撮像装置」に相当する。
キ．まとめ
　上記ア〜カのとおりであるから、本件訂正発明１と甲１発明１は、以下の点で一致ないし相違している。
＜一致点＞
　被写体を撮像して画像データを出力する撮像手段と、
　前記画像データに基づいた表示画像を表示する表示手段と、
　画像の少なくとも一部の領域に、画像処理によりぼかし処理を施すぼかし処理手段と、
　前記表示画像において、前記ぼかし処理手段がぼかし処理を施す第一の領域、またはぼかし処理を施さない第二の領域の少なくともどちらか一方を指定することで、前記ぼかし処理手段がぼかし処理を施す第一の領域を指定する領域指定手段と、
　を備え、
　前記第二の領域は矩形領域であり、
　画像の撮像を行う際のモニタリング状態において、
　前記領域指定手段は、前記第二の領域を形状と大きさを保って前記表示手段の表示領域内を移動し、
　前記第二の領域に対応する前記画像データの領域と少なくとも一部が重なる領域を、オートフォーカス評価値を取得する領域とし、
　自動合焦動作の実行を指示する自動合焦動作指示手段と、記録媒体への画像データの記録を指示する記録指示手段と、を有し、
　前記自動合焦動作指示手段により自動合焦動作の実行が指示されると、前記オートフォーカス評価値を取得する領域が、前記第二の領域の移動に基づき前記第二の領域に対応する前記画像データの領域と少なくとも一部が重なる領域であって当該オートフォーカス評価値を取得する領域の中心が前記第二の領域に対応する前記画像データの領域に含まれる領域に設定され、
　前記記録指示手段により画像データの記録が指示されると、前記設定された領域に基づく自動合焦動作がなされた撮像による画像データが前記記録媒体に記録される
　ことを特徴とする撮像装置。
＜相違点＞
（相違点１）ぼかし処理手段が処理の対象とする画像は、本件訂正発明１では「前記表示手段に表示された表示画像」であるのに対し、甲１発明１は、「シャッタレリーズボタンが第２レベルまで押された状態において取得された画像データ」である点。
（相違点２）矩形領域に関し、本件訂正発明１では「横長の帯状形状」であるのに対し、甲１発明１では、そのようなものであるとは特定されていない点。
（相違点３）甲１発明１は、「画像の撮像を行う際のモニタリング状態において」、「前記ぼかし処理手段は前記第二の領域の移動に基づき前記第一の領域についてぼかし処理を施し」という構成を有していない点。
（相違点４）本件訂正発明１は、「前記第二の領域の移動に基づき前記第一の領域についてぼかし処理が施された画像が前記表示手段に表示された状態で」前記自動合焦動作指示手段により自動合焦動作の実行が指示されるものであるのに対し、甲１発明１は、そのような構成を有していない点。
（４）相違点の判断
ア．相違点１、相違点３、相違点４について
　相違点１、相違点３、相違点４は、本件訂正発明１では「ぼかし処理手段」が施すぼかし処理が「前記表示手段に表示された表示画像」に対してぼかし処理を施すものであり、「前記表示手段に表示された表示画像」にぼかし処理を施された状態で、自動合焦動作指示手段により自動合焦動作の実行が指示されるのに対し、甲１発明１では、「ぼかし処理手段」が施すぼかし処理が「シャッタレリーズボタンが第２レベルまで押された状態において取得された画像データ」であって、「前記表示手段に表示された表示画像」に対してぼかし処理は施されないために、「前記表示手段に表示された表示画像」にぼかし処理を施された状態で、自動合焦動作指示手段により自動合焦動作の実行が指示されるものではないということであるから、相違点１、相違点３、相違点４をまとめて検討する。
　甲１発明１の「シャッタレリーズボタンが第１レベルまで押された状態」は、撮影する画像をモニタリングしている状態であるから、カラーＬＣＤパネルに表示される画像を撮影される画像に近いものとする周知の技術を適用することを、当業者は普通に考え得る。
　そして、甲第２号証には、上記（２）イに示したように、甲２発明１として、「撮像装置において、スルー画用の映像信号のうち主要被写体以外の領域（すなわち背景領域）に対して画像ぼけの付加を施して画像ぼけが付加されたスルー画像をモニタに表示し、本撮影で得た画像信号に対し全押し操作信号が入力される直前のスルー画像に対して付加していた画像ぼけと同様の画像ぼけを付加する処理を行うこと」が記載されているように、ぼけを付加する撮像装置において、撮影する画像をモニタリングしている状態において、撮影した画像に付加されるぼけと同様のぼけを表示画像に付加することが、公知の技術であったといえる。
　よって、甲１発明１のぼけを付加する撮像装置であるアウトフォーカシングモードを有するデジタルカメラの「シャッタレリーズボタンが第１レベルまで押された状態」において、撮影した画像に付加されるぼけと同様のぼけを表示画像に付加するものとすることは、当業者が容易に想到し得ることであり、そうすることにより、相違点１に係る『ぼかし処理手段が処理の対象とする画像を、前記表示手段に表示された表示画像』とし、相違点３に係る『画像の撮像を行う際のモニタリング状態において、前記ぼかし処理手段は前記第二の領域の移動に基づき前記第一の領域についてぼかし処理を施』すものとし、相違点４に係る『前記第二の領域の移動に基づき前記第一の領域についてぼかし処理が施された画像が前記表示手段に表示された状態で前記自動合焦動作指示手段により自動合焦動作の実行が指示されるもの』とすることは、当業者が容易になし得ることといえる。
　なお、特許権者は平成２８年１０月３日付け意見書において、「また、甲第２号証記載の発明では、ＡＦ動作の後に、ＡＦ動作によりフォーカス領域から抽出された主要被写体以外の領域を除いた領域に対してぼけの付加が行われ、ぼけが付加されたスルー画像をモニタに表示する技術が開示されているに過ぎません。すなわち、甲第２号証記載の発明では、スルー画像へのぼかし処理は、操作部材７（レリーズ釦）の半押し操作とＡＦ動作がされた後でないと行われません。」（６頁２１〜２６行）というように、甲第２号証記載の発明は、『スルー画像へのぼかし処理は、ＡＦ動作がされた後でないと行われません』と主張している。
　また、特許権者は平成２９年４月４日付け意見書において、『したがって、本件特許発明１の合焦は、「ミニチュア写真化」を行うために「
自動合焦動作がなされた撮像による画像データが前記記録媒体に記録され
　しかしながら、一般に、スルー画像は、撮影する画像をモニタリングするための画像であるから、焦点が全く合っていない画像が表示されても意味は無く、ある程度焦点が合わされた（ＡＦ動作が行われた）画像であることは、デジタルカメラの技術においては当然のことである。
　このことは、甲第１号証において、アウトフォーカシング領域を設定しフォーカシングを実行する(S808)（[0080]）以前に、プレビューモードにおいてオートフォーカシング(AF)を実行し(S203)ている（[0061],[0062]）ことからも明らかである。
　よって、甲第２号証に記載される発明において、スルー画像に対するＡＦ動作はぼけの付加とは密接に関連して行われているものとはいえず、甲第２号証からスルー画像に対してぼけを付加する技術のみを発明として抽出することは特別恣意的なものではない。
　さらに、特許権者は平成２９年４月４日付け意見書において、『また、甲１発明１と甲２発明１は、いずれも自動合焦動作の指示の後にぼかし処理を行うものにすぎませんから、本件特許発明１の「
前記第二の領域の移動に基づき前記第一の領域についてぼかし処理が施された画像が前記表示手段に表示された状態で前記
　しかしながら、上述したように、甲１発明１に、甲２発明１のような「ぼけを付加する撮像装置において、撮影する画像をモニタリングしている状態において、撮影した画像に付加されるぼけと同様のぼけを表示画像に付加する」技術を適用すれば、甲１発明１の、フォーカシングを実行する前の「シャッタレリーズボタンが第１レベルまで押された状態」であり、カラーＬＣＤパネルに画像データが表示される段階で、表示画像にぼけを付加することは、業者が容易に想到し得ることである。
イ．相違点２について
　本件訂正発明１の第二の領域は「横長の帯状形状」であるということは、ぼかし処理を施さない領域が、横長で細長い矩形の形状という意味と捉えられる。
　甲１発明１の、アウトフォーカシング（ぼけ）領域を規定し、フォーカシング（自動合焦）を実行する領域を規定する対象ウィンドウに関し、対象ウィンドウの形状は、撮影しようとする被写体に応じて任意に決定することができるものといえ、横長で細長い矩形の形状、すなわち「横長の帯状形状」とすることも、当業者が適宜なし得ることに過ぎないものである。
　よって、甲１発明１において、対象ウィンドウの形状を「横長の帯状形状」とし、相違点２に係る構成を採用することは、当業者が容易に想到し得ることである。
（５）まとめ
　上記のとおりであるから、本件訂正発明１は、甲１発明１、甲２発明１及び周知技術に基いて当業者が容易に発明をすることができたものである。
　なお、本件訂正発明１が奏する効果は、その容易想到である構成から当業者が容易に予測し得る範囲内のものであり、同範囲を超える顕著なものでもない。
３．本件訂正発明３について
（１）本件訂正発明３
　本件訂正発明３は、以下に再掲したとおりのものである。
　なお、説明のために本件訂正発明１と同じ構成には（１Ａ）ないし（１Ｆ）の記号を、本件訂正発明１と異なる構成には（３Ｅ−５）の記号を当審において付与した。
（本件訂正発明３）
（１Ａ）被写体を撮像して画像データを出力する撮像手段と、
（１Ｂ）前記画像データに基づいた表示画像を表示する表示手段と、
（１Ｃ）前記表示手段に表示された表示画像の少なくとも一部の領域に、画像処理によりぼかし処理を施すぼかし処理手段と、
（１Ｄ）前記表示画像において、前記ぼかし処理手段がぼかし処理を施す第一の領域、またはぼかし処理を施さない第二の領域の少なくともどちらか一方を指定することで、前記ぼかし処理手段がぼかし処理を施す第一の領域を指定する領域指定手段と、
　を備え、
（１Ｄ−１）前記第二の領域は横長の帯状形状であり、
（１Ｅ）画像の撮像を行う際のモニタリング状態において、
（１Ｅ−１）前記領域指定手段は、前記第二の領域を形状と大きさを保って前記表示手段の表示領域内を移動し、
（１Ｅ−２）前記ぼかし処理手段は前記第二の領域の移動に基づき前記第一の領域についてぼかし処理を施し、
（１Ｅ−３）前記第二の領域に対応する前記画像データの領域と少なくとも一部が重なる領域を、オートフォーカス評価値を取得する領域とし、
（１Ｅ−４）自動合焦動作の実行を指示する自動合焦動作指示手段と、記録媒体への画像データの記録を指示する記録指示手段と、を有し、
（３Ｅ−５）前記第二の領域の移動に基づき前記第一の領域についてぼかし処理が施された画像が前記表示手段に表示された状態で前記自動合焦動作指示手段により自動合焦動作の実行が指示されると、前記オートフォーカス評価値を取得する領域が、前記第二の領域の移動に基づき当該オートフォーカス評価値を取得する領域の中心が前記第二の領域に対応する前記画像データの領域に含まれる領域に設定され、
　前記表示手段に、前記オートフォーカス評価値を取得する領域を識別可能に表示し、
（１Ｅ−６）前記記録指示手段により画像データの記録が指示されると、前記設定された領域に基づく自動合焦動作がなされた撮像による画像データが前記記録媒体に記録される
（１Ｆ）ことを特徴とする撮像装置。
（２）甲号証に記載された発明
ア．甲第１号証について
　甲第１号証には、上記「２．（２）ア．甲第１号証について」に示したとおりの発明（甲１発明１）が記載されている。
イ．甲第２号証にについて
　甲第２号証には、上記「２．（２）イ．甲第２号証について」に示したとおりの発明（甲２発明１）が記載されている。
　さらに、甲第２号証には、以下の事項が記載されている。
【００４０】
　制御回路５は、ＡＦ動作中においてスルー画像を上記フレームレートでモニタ１３に逐次表示させるとともに、複数のフォーカス検出領域を示すＡＦマークをスルー画像に重ねて重畳表示させる。制御回路５は表示制御回路１４へ指令を送り、合焦位置が検出（焦点検出）されたフォーカス検出領域に対応するＡＦマークの表示色を赤色から緑色に変更表示させる。なお、焦点検出を撮影者に報知するための表示は、モニタ１３に重畳表示させる代わりにモニタ１３と別のＬＥＤなどによって表示させてもよい。
　上記の記載事項によれば、甲第２号証には次の発明（以下、「甲２発明２」という。）が記載されていると認められる。
（甲２発明２）
　撮像装置において、ＡＦ動作する際に、スルー画像上にフォーカス検出領域を示すＡＦマークを重ねて重畳表示させること。
（３）対比
　本件訂正発明３と甲１発明１とを対比する。
　上記「２．（３）対比」にける検討を踏まえれば、本件訂正発明３と甲１発明１とは、上記「２．（３）対比」における相違点１ないし相違点４において相違し、更に甲１発明１が、本件訂正発明３の構成３Ｅ−５の「前記表示手段に、前記オートフォーカス評価値を取得する領域を識別可能に表示し」という構成を有していない点で相違し、その余で一致する。
　まとめると、本件訂正発明３と甲１発明１は、以下の点で一致ないし相違している。
＜一致点＞
　被写体を撮像して画像データを出力する撮像手段と、
　前記画像データに基づいた表示画像を表示する表示手段と、
　画像の少なくとも一部の領域に、画像処理によりぼかし処理を施すぼかし処理手段と、
　前記表示画像において、前記ぼかし処理手段がぼかし処理を施す第一の領域、またはぼかし処理を施さない第二の領域の少なくともどちらか一方を指定することで、前記ぼかし処理手段がぼかし処理を施す第一の領域を指定する領域指定手段と、
　を備え、
　前記第二の領域は矩形領域であり、
　画像の撮像を行う際のモニタリング状態において、
　前記領域指定手段は、前記第二の領域を形状と大きさを保って前記表示手段の表示領域内を移動し、
　前記第二の領域に対応する前記画像データの領域と少なくとも一部が重なる領域を、オートフォーカス評価値を取得する領域とし、
　自動合焦動作の実行を指示する自動合焦動作指示手段と、記録媒体への画像データの記録を指示する記録指示手段と、を有し、
　前記自動合焦動作指示手段により自動合焦動作の実行が指示されると、前記オートフォーカス評価値を取得する領域が、前記第二の領域の移動に基づき当該オートフォーカス評価値を取得する領域の中心が前記第二の領域に対応する前記画像データの領域に含まれる領域に設定され、
　前記記録指示手段により画像データの記録が指示されると、前記設定された領域に基づく自動合焦動作がなされた撮像による画像データが前記記録媒体に記録される
　ことを特徴とする撮像装置。
＜相違点＞
（相違点１）ぼかし処理手段が処理の対象とする画像は、本件訂正発明３では「前記表示手段に表示された表示画像」であるのに対し、甲１発明１は、「シャッタレリーズボタンが第２レベルまで押された状態において取得された画像データ」である点。
（相違点２）矩形領域に関し、本件訂正発明１では「横長の帯状形状」であるのに対し、甲１発明１では、そのようなものであるとは特定されていない点。
（相違点３）甲１発明１は、「画像の撮像を行う際のモニタリング状態において」、「前記ぼかし処理手段は前記第二の領域の移動に基づき前記第一の領域についてぼかし処理を施し」という構成を有していない点。
（相違点４）本件訂正発明３は、「前記第二の領域の移動に基づき前記第一の領域についてぼかし処理が施された画像が前記表示手段に表示された状態で」前記自動合焦動作指示手段により自動合焦動作の実行が指示されるものであるのに対し、甲１発明１は、そのような構成を有していない点。
（相違点５）甲１発明１は、「前記表示手段に、前記オートフォーカス評価値を取得する領域を識別可能に表示し」という構成を有していない点。
（４）相違点の判断
　上記相違点１ないし相違点４に対する判断は、上記「２．（４）相違点の判断」と同じである。
　相違点５について検討すると、撮像装置におけるオートフォーカス機能において、オートフォーカスを行う際のオートフォーカス領域、すなわちオートフォーカスのための評価値を取得する領域が、複数設定可能にされており、その領域をビューファインダのモニタリング画像の上に重畳表示することは、上記（２）イに甲２発明２として示されるように、当該技術分野における周知の技術である。
　よって、甲１発明１において、フォーカシングを行う際にフォーカシングの対象とする領域をカラーＬＣＤパネルの画像データの上に重畳表示することは、当業者が容易に想到し得ることであり、そうすることにより、相違点５に係る「前記表示手段に、前記オートフォーカス評価値を取得する領域を識別可能に表示し」という構成を設けることは、当業者が容易になし得ることといえる。
　したがって、本件訂正発明３は、甲１発明１、甲２発明１、甲２発明２及び周知技術に基いて当業者が容易に発明をすることができたものである。
４．本件訂正発明５について
（１）本件訂正発明５
　本件訂正発明５は、以下に再掲したとおりのものである。
　なお、説明のために（５Ａ）、（５Ｂ）の記号を当審において付与した。以下、構成５Ａ、構成５Ｂと称することにする。
（本件訂正発明５）
（５Ａ）前記画像データの少なくとも一部の領域を測光領域として測光する測光手段をさらに備え、
　前記測光領域は、前記第二の領域に対応する前記画像データの領域と少なくとも一部が重なるように設定される
（５Ｂ）ことを特徴とする請求項１に記載の撮像装置。
（２）甲号証に記載された発明
ア．甲第１号証について
　甲第１号証には、上記「２．（２）ア．甲第１号証について」に示したとおりの発明（甲１発明１）が記載されている。
イ．甲第２号証について
　甲第２号証には、上記「２．（２）イ．甲第２号証について」に示したとおりの発明（甲２発明１）が記載されている。
ウ．甲第３号証について
　取消理由に引用した甲第３号証（特開２００８−７０５６２号公報）には、「撮像装置および露出制御方法」（発明の名称）に関し、図面とともに以下の事項が記載されている。
【００１２】
　本実施形態では、撮像装置としてデジタルカメラを用いた場合について説明する。図１は、本実施形態に係るデジタルカメラ１００の機能構成を示すブロック図である。
【００１９】
　顔検出部１０６は、画像処理部１０５から出力されたデジタル画像信号が示す画像から主被写体として人の顔の領域を検出し、この領域に係る情報を制御部１０２に通知する。制御部１０２はこの情報を受けると、画像において検出された人の顔の領域に測距枠が位置するようにＡＦ処理部１０８に指示すると共に、この人の顔の領域の露出が適正となるようにＡＥ処理部１０９に指示する。制御部１０２からの指示に基づいて、ＡＦ処理部１０８はレンズ１０８ａに含まれるフォーカスレンズの位置などを制御すると共に、ＡＥ処理部１０９は露出機構１０９ａを制御する。
　上記の記載事項によれば、甲第３号証には次の発明（以下、「甲３発明」という。）が記載されていると認められる。
（甲３発明）
　デジタルカメラにおいて、デジタル画像信号が示す画像から主被写体として人の顔の領域を検出し、画像において検出された人の顔の領域に測距枠が位置するようにＡＦ処理を行うと共に、この人の顔の領域の露出が適正となるようにＡＥ処理を行うこと。
（３）対比
　本件訂正発明５と甲１発明１とを対比する。
　本件訂正発明５は本件訂正発明１を引用する発明であるところ、本件訂正発明１を引用する構成については、上記「２．（３）対比」における一致点において一致し、相違点１ないし相違点４において相違する。
　更に、本件訂正発明５の構成５Ａについて検討すると、甲１発明１は、構成５Ａに対応する構成を有していない点で相違する。
　すなわち、本件訂正発明５は、甲１発明１と上記「２．（３）対比」における一致点において一致し、相違点１ないし相違点４において相違し、更に次の相違点を有している。
（相違点６）甲１発明１は、本件訂正発明５の「前記画像データの少なくとも一部の領域を測光領域として測光する測光手段をさらに備え、前記測光領域は、前記第二の領域に対応する前記画像データの領域と少なくとも一部が重なるように設定される」という構成を有していない点。
（４）相違点の判断
　相違点１ないし相違点４に対する判断は、上記「２．（４）相違点の判断」と同じである。
　相違点６について検討すると、撮像装置において、画像データの特定の領域の明るさを測定し、その領域が適正露出となるように自動露出（ＡＥ）制御を行うことは、例えば、上記（２）ウに甲３発明として示されるように、当該技術分野における周知の技術である。
　よって、甲１発明１においても、画像データの少なくとも一部の領域を測光領域として測光する測光手段を設けることは当業者が容易になし得ることである。
　そして、甲１発明１における対象ウィンドウは、ぼかし処理を施さずフォーカシングを行う注目領域であり、その注目領域を含む領域を自動露出（ＡＥ）制御のための測光領域とすることも、当業者であれば当然に想到し得る技術的事項である。
　したがって、甲１発明１において、上記相違点５に係る「前記画像データの少なくとも一部の領域を測光領域として測光する測光手段をさらに備え、前記測光領域は、前記第二の領域に対応する前記画像データの領域と少なくとも一部が重なるように設定される」という構成を設けることは、当業者が容易になし得ることといえる。
　したがって、本件訂正発明５は、甲１発明１、甲２発明１、甲３発明及び周知技術に基いて当業者が容易に発明をすることができたものである。
５．本件訂正発明６について
（１）本件訂正発明６
　本件訂正発明６は、以下に再掲したとおりのものである。
　なお、説明のために（６Ａ）、（６Ｂ）の記号を当審において付与した。以下、構成６Ａ、構成６Ｂと称することにする。
（本件訂正発明６）
（６Ａ）前記表示手段に、前記オートフォーカス評価値を取得する領域を識別可能に表示する
（６Ｂ）ことを特徴とする請求項１、５のいずれか１項に記載の撮像装置。
（２）甲号証に記載された発明
ア．甲第１号証について
　甲第１号証には、上記「２．（２）ア．甲第１号証について」に示したとおりの発明（甲１発明１）が記載されている。
イ．甲第２号証について
　甲第２号証には、上記「２．（２）イ．甲第２号証について」に示したとおりの発明（甲２発明１）、及び上記「３．（２）イ．甲第２号証について」に示したとおりの発明（甲２発明２）が記載されている。
ウ．甲第３号証について
　甲第３号証には、上記「４．（２）ウ．甲第３号証について」に示したとおりの発明（甲３発明）が記載されている。
（３）対比
　本件訂正発明６と甲１発明１とを対比する。
　本件訂正発明６は本件訂正発明１または本件訂正発明５を引用する発明であるところ、本件訂正発明１を引用する構成については、上記「２．（３）対比」における一致点において一致し、相違点１ないし相違点４において相違する。また、本件訂正発明５を引用する構成については、上記「４．（３）対比」における一致点において一致し、相違点１ないし相違点４および相違点６において相違する。
　更に、本件訂正発明６の構成６Ａについて検討すると、甲１発明１は、構成６Ａに対応する構成を有していない点で相違する。
　すなわち、本件訂正発明６は、甲１発明１と、本件訂正発明１を引用する構成については、上記「２．（３）対比」における一致点において一致し、相違点１ないし相違点４において相違し、また、本件訂正発明５を引用する構成については、上記「４．（３）対比」における一致点において一致し、相違点１ないし相違点４および相違点６において相違し、更に次の相違点を有している。
（相違点７）甲１発明１は、本件訂正発明６の「前記表示手段に、前記オートフォーカス評価値を取得する領域を識別可能に表示する」という構成を有していない点。
（４）相違点の判断
　相違点１ないし相違点４に対する判断は、上記「２．（４）相違点の判断」と同じであり、相違点６に対する判断は、上記「４．（４）相違点の判断」と同じである。
　相違点７について検討すると、相違点７は上記「３．（３）対比」において検討した相違点５の『甲１発明１は、「前記表示手段に、前記オートフォーカス評価値を取得する領域を識別可能に表示し」という構成を有していない点』と同じ相違点である。
　そうすると、相違点５が、上記「３．（４）相違点の判断」において検討したように、甲２発明２に示されるような周知の技術から当業者が容易になし得たものであるから、相違点７も、同様に甲２発明２に示されるような周知の技術から当業者が容易になし得たものである。
　したがって、本件訂正発明６は、甲１発明１、甲２発明１、甲２発明２、甲３発明及び周知技術に基いて当業者が容易に発明をすることができたものである。
６．本件訂正発明８について
（１）本件訂正発明８
　本件訂正発明８は、以下に再掲したとおりのものである。
　なお、説明のために（８Ａ）、（８Ｂ）の記号を当審において付与した。以下、構成８Ａ、構成８Ｂと称することにする。
（本件訂正発明８）
（８Ａ）前記表示手段に、前記第一の領域、または前記第二の領域の少なくともどちらか一方を識別可能に表示する
（８Ｂ）ことを特徴とする請求項１、３、５、６のいずれか１項に記載の撮像装置。
（２）甲号証に記載された発明
ア．甲第１号証について
　甲第１号証には、上記「２．（２）ア．甲第１号証について」に示したとおりの発明（甲１発明１）が記載されている。
イ．甲第２号証について
　甲第２号証には、上記「２．（２）イ．甲第２号証について」に示したとおりの発明（甲２発明１）、及び上記「３．（２）イ．甲第２号証について」に示したとおりの発明（甲２発明２）が記載されている。
ウ．甲第３号証について
　甲第３号証には、上記「４．（２）ウ．甲第３号証について」に示したとおりの発明（甲３発明）が記載されている。
（３）対比
　本件訂正発明８と甲１発明１とを対比する。
　本件訂正発明８は本件訂正発明１、本件訂正発明３、本件訂正発明５または本件訂正発明６を引用する発明であるところ、本件訂正発明１を引用する構成については、上記「２．（３）対比」における一致点において一致し、相違点１ないし相違点４において相違する。本件訂正発明３を引用する構成については、上記「３．（３）対比」における一致点において一致し、相違点１ないし相違点５において相違する。本件訂正発明５を引用する構成については、上記「４．（３）対比」における一致点において一致し、相違点１ないし相違点４および相違点６において相違する。また、本件訂正発明６を引用する構成については、上記「５．（３）対比」における一致点において一致し、相違点１ないし相違点４、相違点６および相違点７において相違する。
　更に、本件訂正発明８の構成８Ａについて検討すると、上記「２．（３）対比」のエ．において認定したように、甲１発明１は、構成１ｂ、１ｅ、１ｆ−１のように「デジタルカメラプロセッサ（ＤＣＰ）」が、「入力された画像データが表示されるカラーＬＣＤパネルに画像データの一部の矩形領域を示す選択的アウトフォーカシングの対象ウィンドウを表示」するものであり、これは『表示手段に、前記第一の領域、または前記第二の領域の少なくともどちらか一方を識別可能に表示する』ものといえる。
　よって、甲１発明１は、本件訂正発明８の構成８Ａを備えているものといえる。
　すなわち、本件訂正発明８は、甲１発明１と、本件訂正発明１を引用する構成については、上記「２．（３）対比」における一致点において一致し、相違点１ないし相違点４において相違し、本件訂正発明３を引用する構成については、上記「３．（３）対比」における一致点において一致し、相違点１ないし相違点５において相違し、本件訂正発明５を引用する構成については、上記「４．（３）対比」における一致点において一致し、相違点１ないし相違点４および相違点６において相違し、また、本件訂正発明６を引用する構成については、上記「５．（３）対比」における一致点において一致し、相違点１ないし相違点４、相違点６および相違点７において相違する。
（４）相違点の判断
　相違点１ないし相違点４に対する判断は、上記「２．（４）相違点の判断」と同じであり、相違点５に対する判断は、上記「３．（４）相違点の判断」と同じであり、相違点６に対する判断は、上記「４．（４）相違点の判断」と同じであり、さらに、相違点７に対する判断は、上記「５．（４）相違点の判断」と同じである。
　したがって、本件訂正発明８は、甲１発明１、甲２発明１、甲２発明２、甲３発明及び周知技術に基いて当業者が容易に発明をすることができたものである。
７．本件訂正発明９について
（１）本件訂正発明９
　本件訂正発明９は、以下に再掲したとおりのものである。
　なお、説明のために（９Ａ）ないし（９Ｆ）の記号を当審において付与した。以下、構成９Ａ、構成９Ｂ等と称することにする。
（本件訂正発明９）
（９Ａ）ミニチュア写真の撮像方法であって、
（９Ｂ）被写体を撮像して画像データを出力する撮像工程と、
（９Ｃ）前記画像データに基づいた表示画像を表示する表示部において、前記表示画像の少なくとも一部の領域に、画像処理によりぼかし処理を施すぼかし処理工程と、
（９Ｄ）前記表示画像において、前記ぼかし処理工程がぼかし処理を施す第一の領域、またはぼかし処理を施さない横長の帯状形状である第二の領域の少なくともどちらか一方を指定することで、前記ぼかし処理工程がぼかし処理を施す第一の領域を指定する領域指定工程と、
　を備え、
（９Ｅ）モニタリング状態において、
（９Ｅ−１）前記領域指定工程は、前記第二の領域を形状と大きさを保って前記表示部の表示領域内を移動し、
（９Ｅ−２）前記ぼかし処理工程は前記第二の領域の移動に基づき前記第一の領域についてぼかし処理を施し、
（９Ｅ−３）前記第二の領域に対応する前記画像データの領域と少なくとも一部が重なる領域を、オートフォーカス評価値を取得する領域とし、
（９Ｅ−４）自動合焦動作の実行を指示する自動合焦動作指示工程と、記録媒体への画像データの記録を指示する記録指示工程と、を有し、
（９Ｅ−５）前記第二の領域の移動に基づき前記第一の領域についてぼかし処理が施された画像が前記表示部に表示された状態で前記自動合焦動作指示工程により自動合焦動作の実行が指示されると、前記オートフォーカス評価値を取得する領域が、前記第二の領域の移動に基づき前記第二の領域に対応する前記画像データの領域と少なくとも一部が重なる領域であって当該オートフォーカス評価値を取得する領域の中心が前記第二の領域に対応する前記画像データの領域に含まれる領域に設定され、
（９Ｅ−６）前記記録指示工程により画像データの記録が指示されると、前記設定された領域に基づく自動合焦動作がなされた撮像による画像データが前記記録媒体に記録される
（９Ｆ）ことを特徴とする撮像方法。
（２）甲号証に記載された発明
ア．甲第１号証について
　上記「２．（２）ア．（ア）甲第１号証に記載された事項」に基づき、上記「２．（２）ア．（イ）甲第１号証に記載された発明」の認定を援用しつつ甲第１号証に記載される方法の発明を認定すると、甲第１号証には、次の発明（以下、「甲１発明２」という。）が記載されていると認められる。
　なお、説明のために（９ａ）ないし（９ｆ）の記号を当審において付与した。以下、構成９ａ、構成９ｂ等と称することにする。
（甲１発明２）
（９ａ）画像データのアウトフォーカシング領域にアウトフォーカシングを行う撮影方法であって、
（９ｂ）光学システム（ＯＰＳ）からの光を光電変換ユニットにより変換して画像データを出力する工程と、
（９ｃ）入力された画像データがカラーＬＣＤパネルに表示される工程と、
　を備え、
（９ｄ）シャッタレリーズボタンが第１レベルまで押された状態において、
（９ｄ−１）入力された画像データが表示されるカラーＬＣＤパネルに画像データの一部の矩形領域を示す選択的アウトフォーカシングの対象ウィンドウを表示し、
（９ｄ−２）ユーザの各種操作ボタンによる指示に応じて、対象ウィンドウの位置を移動させ、
（９ｄ−３）メニュー／選択確認ボタンによって確認信号が生成されると、対象ウィンドウの領域を除いた領域をアウトフォーカシング領域として設定し、対象ウィンドウの領域において通常のフォーカシングを実行し、
（９ｄ−４）シャッタレリーズボタンが第２レベルまで押されていない場合には、これらの動作を繰り返し、
（９ｅ）シャッタレリーズボタンが第２レベルまで押された状態において取得された画像データのアウトフォーカシング領域にローパスフィルタをかけ、メモリカード内の画像ファイルに保存する、
（９ｆ）撮影方法。
イ．甲第２号証について
　甲第２号証には、上記「２．（２）イ．甲第２号証について」に示したとおりの発明（甲２発明１）が記載されている。
（３）対比
　本件訂正発明９と甲１発明２とを対比すると、本件訂正発明９は「ミニチュア写真の撮像方法」であるのに対し、甲１発明２は「画像データアウトフォーカシング領域にアウトフォーカシングを行う撮影方法」である点で相違するが、甲１発明２は、画像データの一部の領域にローパスフィルタをかけてぼかす処理を施すものであるから、本件訂正発明９と、「画像データの一部の領域にぼかす処理を施す撮像方法」という点で一致する。
　その他の構成についても、上記「２．（３）対比」における判断を援用して検討すると、本件訂正発明９と甲１発明２は、以下の点で一致ないし相違している。
＜一致点＞
　画像データの一部の領域にぼかす処理を施す撮像方法であって、
　被写体を撮像して画像データを出力する撮像工程と、
　前記画像データに基づいた表示画像を表示する表示部を有し、
　画像の少なくとも一部の領域に、画像処理によりぼかし処理を施すぼかし処理工程と、
　前記表示画像において、前記ぼかし処理工程がぼかし処理を施す第一の領域、またはぼかし処理を施さない矩形領域の第二の領域の少なくともどちらか一方を指定することで、前記ぼかし処理工程がぼかし処理を施す第一の領域を指定する領域指定工程と、
　を備え、
　モニタリング状態において、
　前記領域指定工程は、前記第二の領域を形状と大きさを保って前記表示部の表示領域内を移動し、
　前記第二の領域に対応する前記画像データの領域と少なくとも一部が重なる領域を、オートフォーカス評価値を取得する領域とし、
　自動合焦動作の実行を指示する自動合焦動作指示工程と、記録媒体への画像データの記録を指示する記録指示工程と、を有し、
　前記自動合焦動作指示工程により自動合焦動作の実行が指示されると、前記オートフォーカス評価値を取得する領域が、前記第二の領域の移動に基づき前記第二の領域に対応する前記画像データの領域と少なくとも一部が重なる領域であって当該オートフォーカス評価値を取得する領域の中心が前記第二の領域に対応する前記画像データの領域に含まれる領域に設定され、
　前記記録指示工程により画像データの記録が指示されると、前記設定された領域に基づく自動合焦動作がなされた撮像による画像データが前記記録媒体に記録される
　ことを特徴とする撮像方法。
＜相違点＞
（相違点８）「画像データの一部の領域にぼかす処理を施す撮像方法」に関し、本件訂正発明９では「ミニチュア写真の撮像方法」であるのに対し、甲１発明２では「画像データのアウトフォーカシング領域にアウトフォーカシングを行う撮影方法」である点。
（相違点９）ぼかし処理工程が処理の対象とする画像は、本件訂正発明９では「前記表示画像」であるのに対し、甲１発明２は、「シャッタレリーズボタンが第２レベルまで押された状態において取得された画像データ」である点。
（相違点１０）矩形領域に関し、本件訂正発明９では「横長の帯状形状」であるのに対し、甲１発明２では、そのようなものであるとは特定されていない点。
（相違点１１）甲１発明２は、「モニタリング状態において」、「前記ぼかし処理工程は前記第二の領域の移動に基づき前記第一の領域についてぼかし処理を施し」という構成を有していない点。
（相違点１２）本件訂正発明９は、「前記第二の領域の移動に基づき前記第一の領域についてぼかし処理が施された画像が前記表示部に表示された状態で」前記自動合焦動作指示工程により自動合焦動作の実行が指示されるものであるのに対し、甲１発明２は、そのような構成を有していない点。
（４）相違点の判断
ア．相違点８について
　「ミニチュア写真の撮像方法」について検討すると、銀塩フィルムカメラの時代から、アオリレンズ（シフトレンズ、ティルトレンズ）を用いて、被写界深度を極端に狭くして撮影することにより、ミニチュア風の写真を撮影する技術が周知であった。
　また、画像処理により画像の特定領域以外にぼかし処理を施すことで、被写界深度の狭い画像を生成し、ミニチュア風の写真に変更する技術も周知の技術である。
　そして、デジタルカメラにおいても、そのような画像処理の技術を搭載し、アオリレンズを用いることなくミニチュア風の写真を撮影するモードを有するデジタルカメラは、本件出願時に周知のものであった（例えば、ニコン「Ｄ３０００」、リコー「ＣＸ２」、ペンタックス「Ｋ−ｘ」、オリンパス・ペン「Ｅ−Ｐ２」など）。
　すなわち、画像の特定領域以外に画像処理によりぼかし処理を施して、被写界深度の狭い画像を生成し、ミニチュア風の写真を撮影する技術は周知の技術である。
　したがって、甲１発明２の「画像データアウトフォーカシング領域にアウトフォーカシングを行う撮影方法」を、ミニチュア風の写真を撮影する機能として動作させ、相違点７に係る「ミニチュア写真の撮像方法」に変更することは、当業者が容易になし得ることである。
イ．相違点９ないし相違点１２について
　相違点９ないし相違点１２は、上記「２．（３）対比」において認定した相違点１ないし相違点４と同様のものである。
　そうすると、相違点９ないし相違点１２は、上記「２．（４）相違点の判断」における判断と同様に、甲１発明２、甲２発明１及び周知技術から、当業者が容易になし得ることでといえる。
（５）まとめ
　上記のとおりであるから、本件訂正発明９は、甲１発明２、甲２発明１及び周知技術に基いて当業者が容易に発明をすることができたものである。
　なお、本件訂正発明９が奏する効果は、その容易想到である構成から当業者が容易に予測し得る範囲内のものであり、同範囲を超える顕著なものでもない。
８．本件訂正発明１１について
（１）本件訂正発明１１
　本件訂正発明１１は、以下に再掲したとおりのものである。
　なお、説明のために本件訂正発明９と同じ構成には（９Ａ）ないし（９Ｆ）の記号を、本件訂正発明１と異なる構成には（１１Ｅ−５）の記号を当審において付与した。
（本件訂正発明１１）
（９Ａ）ミニチュア写真の撮像方法であって、
（９Ｂ）被写体を撮像して画像データを出力する撮像工程と、
（９Ｃ）前記画像データに基づいた表示画像を表示する表示部において、前記表示画像の少なくとも一部の領域に、画像処理によりぼかし処理を施すぼかし処理工程と、
（９Ｄ）前記表示画像において、前記ぼかし処理工程がぼかし処理を施す第一の領域、またはぼかし処理を施さない横長の帯状形状である第二の領域の少なくともどちらか一方を指定することで、前記ぼかし処理工程がぼかし処理を施す第一の領域を指定する領域指定工程と、
　を備え、
（９Ｅ）モニタリング状態において、
（９Ｅ−１）前記領域指定工程は、前記第二の領域を形状と大きさを保って前記表示部の表示領域内を移動し、
（９Ｅ−２）前記ぼかし処理工程は前記第二の領域の移動に基づき前記第一の領域についてぼかし処理を施し、
（９Ｅ−３）前記第二の領域に対応する前記画像データの領域と少なくとも一部が重なる領域を、オートフォーカス評価値を取得する領域とし、
（９Ｅ−４）自動合焦動作の実行を指示する自動合焦動作指示工程と、記録媒体への画像データの記録を指示する記録指示工程と、を有し、
（１１Ｅ−５）前記第二の領域の移動に基づき前記第一の領域についてぼかし処理が施された画像が前記表示部に表示された状態で前記自動合焦動作指示工程により自動合焦動作の実行が指示されると、前記オートフォーカス評価値を取得する領域が、前記第二の領域の移動に基づき当該オートフォーカス評価値を取得する領域の中心が前記第二の領域に対応する前記画像データの領域に含まれる領域に設定され、
　前記表示部に、前記オートフォーカス評価値を取得する領域を識別可能に表示し、
（９Ｅ−６）前記記録指示工程により画像データの記録が指示されると、前記設定された領域に基づく自動合焦動作がなされた撮像による画像データが前記記録媒体に記録される
（９Ｆ）ことを特徴とする撮像方法。
（２）甲号証に記載された発明
ア．甲第１号証について
　甲第１号証には、上記「７．（２）ア．甲第１号証について」に示したとおりの発明（甲１発明２）が記載されている。
イ．甲第２号証にについて
　甲第２号証には、上記「２．（２）イ．甲第２号証について」に示したとおりの発明（甲２発明１）、及び上記「３．（２）イ．甲第２号証について」に示したとおりの発明（甲２発明２）が記載されている。
（３）対比
　本件訂正発明１１と甲１発明２とを対比する。
　上記「７．（３）対比」にける検討を踏まえれば、本件訂正発明１１と甲１発明２とは、上記「７．（３）対比」における相違点８ないし相違点１２において相違し、更に甲１発明２が、本件訂正発明１１の構成１１Ｅ−５の「前記表示部に、前記オートフォーカス評価値を取得する領域を識別可能に表示し」という構成を有していない点で相違し、その余で一致する。
　まとめると、本件訂正発明１１と甲１発明２は、以下の点で一致ないし相違している。
＜一致点＞
　画像データの一部の領域にぼかす処理を施す撮像方法であって、
　被写体を撮像して画像データを出力する撮像工程と、
　前記画像データに基づいた表示画像を表示する表示部を有し、
　画像の少なくとも一部の領域に、画像処理によりぼかし処理を施すぼかし処理工程と、
　前記表示画像において、前記ぼかし処理工程がぼかし処理を施す第一の領域、またはぼかし処理を施さない矩形領域の第二の領域の少なくともどちらか一方を指定することで、前記ぼかし処理工程がぼかし処理を施す第一の領域を指定する領域指定工程と、
　を備え、
　モニタリング状態において、
　前記領域指定工程は、前記第二の領域を形状と大きさを保って前記表示部の表示領域内を移動し、
　前記第二の領域に対応する前記画像データの領域と少なくとも一部が重なる領域を、オートフォーカス評価値を取得する領域とし、
　自動合焦動作の実行を指示する自動合焦動作指示工程と、記録媒体への画像データの記録を指示する記録指示工程と、を有し、
　前記自動合焦動作指示工程により自動合焦動作の実行が指示されると、前記オートフォーカス評価値を取得する領域が、前記第二の領域の移動に基づき当該オートフォーカス評価値を取得する領域の中心が前記第二の領域に対応する前記画像データの領域に含まれる領域に設定され、
　前記記録指示工程により画像データの記録が指示されると、前記設定された領域に基づく自動合焦動作がなされた撮像による画像データが前記記録媒体に記録される
　ことを特徴とする撮像方法。
＜相違点＞
（相違点８）「画像データの一部の領域にぼかす処理を施す撮像方法」に関し、本件訂正発明１１では「ミニチュア写真の撮像方法」であるのに対し、甲１発明２では「画像データのアウトフォーカシング領域にアウトフォーカシングを行う撮影方法」である点。
（相違点９）ぼかし処理工程が処理の対象とする画像は、本件訂正発明１１では「前記表示画像」であるのに対し、甲１発明２は、「シャッタレリーズボタンが第２レベルまで押された状態において取得された画像データ」である点。
（相違点１０）矩形領域に関し、本件訂正発明１１では「横長の帯状形状」であるのに対し、甲１発明２では、そのようなものであるとは特定されていない点。
（相違点１１）甲１発明２は、「モニタリング状態において」、「前記ぼかし処理工程は前記第二の領域の移動に基づき前記第一の領域についてぼかし処理を施し」という構成を有していない点。
（相違点１２）本件訂正発明１１は、「前記第二の領域の移動に基づき前記第一の領域についてぼかし処理が施された画像が前記表示部に表示された状態で」前記自動合焦動作指示工程により自動合焦動作の実行が指示されるものであるのに対し、甲１発明２は、そのような構成を有していない点。
（相違点１３）甲１発明２は、「前記表示部に、前記オートフォーカス評価値を取得する領域を識別可能に表示し」という構成を有していない点。
（４）相違点の判断
　上記相違点８ないし相違点１２に対する判断は、上記「７．（４）相違点の判断」と同じである。
　相違点１３について検討すると、相違点１３は、上記「３．（３）対比」において認定した相違点５と同様のものである。
　そうすると、相違点１３は、上記「３．（４）相違点の判断」における相違点５に係る判断と同様に、甲１発明２及び甲２発明２のような周知技術から、当業者が容易になし得ることでといえる。
　したがって、本件訂正発明１１は、甲１発明２、甲２発明１、甲２発明２及び周知技術に基いて当業者が容易に発明をすることができたものである。
９．本件訂正発明１３について
（１）本件訂正発明１３
　本件訂正発明５は、以下に再掲したとおりのものである。
　なお、説明のために（１３Ａ）、（１３Ｂ）の記号を当審において付与した。以下、構成１３Ａ、構成１３Ｂと称することにする。
（本件訂正発明１３）
（１３Ａ）前記画像データの少なくとも一部の領域を測光領域として測光する測光工程をさらに備え、
　前記測光領域は、前記第二の領域に対応する前記画像データの領域と少なくとも一部が重なるように設定されて撮像を行う
（１３Ｂ）ことを特徴とする請求項９に記載の撮像方法。
（２）甲号証に記載された発明
ア．甲第１号証について
　甲第１号証には、上記「７．（２）ア．甲第１号証について」に示したとおりの発明（甲１発明２）が記載されている。
イ．甲第２号証について
　甲第２号証には、上記「２．（２）イ．甲第２号証について」に示したとおりの発明（甲２発明１）が記載されている。
ウ．甲第３号証について
　甲第３号証には、上記「４．（２）ウ．甲第３号証について」に示したとおりの発明（甲３発明）が記載されている。
（３）対比
　本件訂正発明１３と甲１発明２とを対比する。
　本件訂正発明１３は本件訂正発明９を引用する発明であるところ、本件訂正発明９を引用する構成については、上記「７．（３）対比」における一致点において一致し、相違点８ないし相違点１２において相違する。
　更に、本件訂正発明１３の構成１３Ａについて検討すると、甲１発明２は、構成１３Ａに対応する構成を有していない点で相違する。
　すなわち、本件訂正発明１３は、甲１発明２と上記「７．（３）対比」における一致点において一致し、相違点８ないし相違点１２において相違し、更に次の相違点を有している。
（相違点１４）甲１発明２は、本件訂正発明１３の「前記画像データの少なくとも一部の領域を測光領域として測光する測光工程をさらに備え、前記測光領域は、前記第二の領域に対応する前記画像データの領域と少なくとも一部が重なるように設定されて撮像を行う」という構成を有していない点。
（４）相違点の判断
　相違点８ないし相違点１２に対する判断は、上記「７．（４）相違点の判断」と同じである。
　相違点１４について検討すると、相違点１４は、上記「４．（３）対比」において認定した相違点６と同様のものである。
　そうすると、相違点１４は、上記「４．（４）相違点の判断」における相違点６に係る判断と同様に、甲１発明２及び甲３発明のような周知技術から、当業者が容易になし得ることでといえる。
　したがって、本件訂正発明１３は、甲１発明１、甲２発明１、甲３発明及び周知技術に基いて当業者が容易に発明をすることができたものである。
１０．本件訂正発明１４について
（１）本件訂正発明１４
　本件訂正発明１４は、以下に再掲したとおりのものである。
　なお、説明のために（１４Ａ）、（１４Ｂ）の記号を当審において付与した。以下、構成１４Ａ、構成１４Ｂと称することにする。
（本件訂正発明１４）
（１４Ａ）前記表示部に、前記オートフォーカス評価値を取得する領域を識別可能に表示する
（１４Ｂ）ことを特徴とする請求項９、１３のいずれか１項に記載の撮像装置。
（２）甲号証に記載された発明
ア．甲第１号証について
　甲第１号証には、上記「７．（２）ア．甲第１号証について」に示したとおりの発明（甲１発明２）が記載されている。
イ．甲第２号証について
　甲第２号証には、上記「２．（２）イ．甲第２号証について」に示したとおりの発明（甲２発明１）、及び上記「３．（２）イ．甲第２号証について」に示したとおりの発明（甲２発明２）が記載されている。
ウ．甲第３号証について
　甲第３号証には、上記「４．（２）ウ．甲第３号証について」に示したとおりの発明（甲３発明）が記載されている。
（３）対比
　本件訂正発明１４と甲１発明２とを対比する。
　本件訂正発明１４は本件訂正発明９または本件訂正発明１３を引用する発明であるところ、本件訂正発明９を引用する構成については、上記「７．（３）対比」における一致点において一致し、相違点８ないし相違点１２において相違する。また、本件訂正発明１３を引用する構成については、上記「９．（３）対比」における一致点において一致し、相違点８ないし相違点１２および相違点１４において相違する。
　更に、本件訂正発明１４の構成１４Ａについて検討すると、甲１発明２は、構成１４Ａに対応する構成を有していない点で相違する。
　すなわち、本件訂正発明１４は、甲１発明２と、本件訂正発明９を引用する構成については、上記「７．（３）対比」における一致点において一致し、相違点７ないし相違点１０において相違し、また、本件訂正発明１３を引用する構成については、上記「９．（３）対比」における一致点において一致し、相違点７ないし相違点１０および相違点１２において相違し、更に次の相違点を有している。
（相違点１５）甲１発明２は、本件訂正発明１４の「前記表示部に、前記オートフォーカス評価値を取得する領域を識別可能に表示する」という構成を有していない点。
（４）相違点の判断
　相違点８ないし相違点１２に対する判断は、上記「７．（４）相違点の判断」と同じであり、相違点１４に対する判断は、上記「９．（４）相違点の判断」と同じである。
　相違点１５について検討すると、相違点１５は上記「８．（３）対比」において検討した相違点１３の『甲１発明２は、「前記表示部に、前記オートフォーカス評価値を取得する領域を識別可能に表示し」という構成を有していない点』と同じ相違点である。
　そうすると、相違点１３が、上記「８．（４）相違点の判断」において検討したように、甲２発明２に示されるような周知の技術から当業者が容易になし得たものであるから、相違点１５も、同様に甲２発明２に示されるような周知の技術から当業者が容易になし得たものである。
　したがって、本件訂正発明１４は、甲１発明１、甲２発明１、甲２発明２、甲３発明及び周知技術に基いて当業者が容易に発明をすることができたものである。
１１．本件訂正発明１６について
（１）本件訂正発明１６
　本件訂正発明１６は、以下に再掲したとおりのものである。
　なお、説明のために（１６Ａ）、（１６Ｂ）の記号を当審において付与した。以下、構成１６Ａ、構成１６Ｂと称することにする。
（本件訂正発明１６）
（１６Ａ）前記表示部に、前記第一の領域、または前記第二の領域の少なくともどちらか一方を識別可能に表示する
（１６Ｂ）ことを特徴とする請求項９、１１、１３、１４のいずれか１項に記載の撮像装置。
（２）甲号証に記載された発明
ア．甲第１号証について
　甲第１号証には、上記「７．（２）ア．甲第１号証について」に示したとおりの発明（甲１発明２）が記載されている。
イ．甲第２号証について
　甲第２号証には、上記「２．（２）イ．甲第２号証について」に示したとおりの発明（甲２発明１）、及び上記「３．（２）イ．甲第２号証について」に示したとおりの発明（甲２発明２）が記載されている。
ウ．甲第３号証について
　甲第３号証には、上記「４．（２）ウ．甲第３号証について」に示したとおりの発明（甲３発明）が記載されている。
（３）対比
　本件訂正発明１６と甲１発明２とを対比する。
　本件訂正発明１６は本件訂正発明９、本件訂正発明１１、本件訂正発明１３または本件訂正発明１４を引用する発明であるところ、本件訂正発明９を引用する構成については、上記「７．（３）対比」における一致点において一致し、相違点８ないし相違点１２において相違する。本件訂正発明１１を引用する構成については、上記「８．（３）対比」における一致点において一致し、相違点８ないし相違点１３において相違する。本件訂正発明１３を引用する構成については、上記「９．（３）対比」における一致点において一致し、相違点８ないし相違点１２および相違点１４において相違する。また、本件訂正発明１４を引用する構成については、上記「１０．（３）対比」における一致点において一致し、相違点８ないし相違点１２、相違点１４および相違点１５において相違する。
　更に、本件訂正発明１６の構成１６Ａについて検討すると、上記「７．（２）ア．甲第１号証について」において認定したように、甲１発明２は、構成９ｄ、９ｄ−１の「シャッタレリーズボタンが第１レベルまで押された状態において」、「入力された画像データが表示されるカラーＬＣＤパネルに画像データの一部の矩形領域を示す選択的アウトフォーカシングの対象ウィンドウを表示」するものであり、これは、上記「２．（３）対比」のエ．における認定を援用すれば、『表示部に、前記第一の領域、または前記第二の領域の少なくともどちらか一方を識別可能に表示する』ものといえる。
　よって、甲１発明２は、本件訂正発明１６の構成１６Ａを備えているものといえる。
　すなわち、本件訂正発明１６は、甲１発明２と、本件訂正発明９を引用する構成については、上記「７．（３）対比」における一致点において一致し、相違点８ないし相違点１２において相違し、本件訂正発明１１を引用する構成については、上記「８．（３）対比」における一致点において一致し、相違点８ないし相違点１３において相違し、本件訂正発明１３を引用する構成については、上記「９．（３）対比」における一致点において一致し、相違点８ないし相違点１２および相違点１４において相違し、また、本件訂正発明１４を引用する構成については、上記「１０．（３）対比」における一致点において一致し、相違点８ないし相違点１２、相違点１４および相違点１５において相違する。
（４）相違点の判断
　相違点８ないし相違点１２に対する判断は、上記「７．（４）相違点の判断」と同じであり、相違点１３に対する判断は、上記「８．（４）相違点の判断」と同じであり、相違点１４に対する判断は、上記「９．（４）相違点の判断」と同じであり、さらに、相違点１５に対する判断は、上記「１０．（４）相違点の判断」と同じである。
　したがって、本件訂正発明１６は、甲１発明１、甲２発明１、甲２発明２、甲３発明及び周知技術に基いて当業者が容易に発明をすることができたものである。
第４　むすび
　以上のとおり、本件訂正発明１，３，５，６，８，９，１１，１３，１４，１６は、甲第１号証ないし甲第３号証に記載された発明に基いて当業者が容易に発明することができたものであるから、本件訂正発明１，３，５，６，８，９，１１，１３，１４，１６に係る特許は特許法第２９条第２項の規定に違反してされたものである。
　したがって、本件訂正発明１，３，５，６，８，９，１１，１３，１４，１６に係る特許は、特許法第１１３条第２号に該当し、取り消されるべきものである。
　また、請求項２，４，７，１０，１２，１５に係る特許は、訂正により削除されたため、本件特許の請求項２，４，７，１０，１２，１５に対して特許異議申立人キヤノン株式会社がした特許異議の申立てについては、対象となる請求項が存在しない。
　よって、結論のとおり決定する。
【異議決定日】
平成２９年６月３０日（２０１７．６．３０）
【訂正の要旨】
審決（決定）の【理由】欄参照。
（５４）【発明の名称】
撮像装置および撮像方法
　【技術分野】
　【０００１】
　本発明は、撮像手段を有する携帯電話機、携帯情報端末（ＰＤＡ）、玩具などの携帯可能な電子機器に適用可能であり、特に、デジタルカメラの画像処理機構に用いられる撮像装置および撮像方法に関するものである。
　【背景技術】
　【０００２】
　近年、デジタルカメラが爆発的に普及してきている。そして、デジタルカメラならではの特徴として写真を撮像時や撮像後に自在に加工できることが挙げられる。このような加工技術の１つとして、通常に撮像された風景写真等において、まるで模型を近距離から撮像したかのように加工する、いわゆる「ミニチュア写真化」テクニックが知られている。これらのテクニックの多くは画像編集用のレタッチソフトを用いて、かつ幾つかの手順を踏んで実施するテクニックであるが、それらのノウハウを簡単に実施するためのパック化された「ミニチュア写真化」の加工ソフトも既に公開されている。
　【０００３】
　実際のレタッチソフトを用いた方法としては、
　１．写真のコントラストと彩度を強くすることで、コントラストが強く色彩のはっきりした画像にする（風景写真などで多く見られる霞がかかったような画像の状態を改善する）。
　２．被写界深度が深いすなわちピントの合う距離の範囲が広い写真の場合は、被写界深度を浅くすなわちピントの合う範囲を狭く設定する（主要な被写体以外の領域をピントがあっていないようにぼかす）。
　【０００４】
　このような方法により、撮像した写真に対して、誰にでも手軽に「ミニチュア写真化」の処理を行うことができる。
　【０００５】
　また、特許文献１，２には、自動合焦した領域を判定し、自動合焦した領域以外にぼかす処理を行って、ポートレートのように背景をぼかした画像を得る技術が記載されている。そして、特許文献１，２では、ぼかし処理を行うものの「ミニチュア写真化」に関するものではなく、ぼかす領域を指定することはできない。
　【発明の概要】
　【発明が解決しようとする課題】
　【０００６】
　しかしながら、前述したレタッチソフトによる加工（画像処理）をＰＣ（パーソナルコンピュータ）上で行うのは手間がかかり面倒である。
　【０００７】
　また、撮像後の画像に対して加工を行って「ミニチュア写真化」を行う場合、撮像後の画像では合焦した領域が決まっているため、ピントがあった合焦領域を変更することはできない。
　【０００８】
　つまり、「ミニチュア写真化」を行う際の加工ソフトでは、ミニチュアのように見せたい注目領域をユーザが設定し、この設定された注目領域以外の領域をピントが合っていないようにぼかすことによって、ミニチュア写真を得るようにしたものである。
　【０００９】
　しかし、撮像後の画像において、合焦領域とユーザが設定した注目領域とが異なる場合、「ミニチュア写真化」を行っても、画像内のミニチュアのように見せたい領域にピントが合っていない場合があって、「ミニチュア写真化」の効果がはっきり得られないという課題があった。
　【００１０】
　本発明は、前記従来技術の課題を解決するものであり、デジタルカメラの撮像時において、自動的に「ミニチュア写真化」した画像の撮像が可能であり、これにより後から加工する手間が省け、簡便に「ミニチュア写真化」の処理ができ、その効果がはっきりと得られる撮像装置および撮像方法を提供することを目的とする。
　【課題を解決するための手段】
　【００１１】
　前記の目的を達成するために、本発明に係る請求項１に記載した撮像装置は、被写体を撮像して画像データを出力する撮像手段と、
　前記画像データに基づいた表示画像を表示する表示手段と、
　前記表示手段に表示された表示画像の少なくとも一部の領域に、画像処理によりぼかし処理を施すぼかし処理手段と、
　前記表示画像において、前記ぼかし処理手段がぼかし処理を施す第一の領域、またはぼかし処理を施さない第二の領域の少なくともどちらか一方を指定することで、前記ぼかし処理手段がぼかし処理を施す第一の領域を指定する領域指定手段と、
　を備え、
　
前記第二の領域は横長の帯状形状であり、
　画像の撮像を行う際のモニタリング状態において、
　前記領域指定手段は、前記第二の領域を形状と大きさを保って前記表示手段の表示領域内を移動し、
　前記ぼかし処理手段は前記第二の領域の移動に基づき前記第一の領域についてぼかし処理を施し、
　前記第二の領域に対応する前記画像データの領域と少なくとも一部が重なる領域を、オートフォーカス評価値を取得する領域とし、
　自動合焦動作の実行を指示する自動合焦動作指示手段
と、記録媒体への画像データの記録を指示する記録指示手段と、
　
前記第二の領域の移動に基づき前記第一の領域についてぼかし処理が施された画像が前記表示手段に表示された状態で前記
前記第二の領域の移動に基づき
であって当該オートフォーカス評価値を取得する領域の中心が前記第二の領域に対応する前記画像データの領域に含まれる領域
、
　
前記記録指示手段により画像データの記録が指示されると、前記設定された領域に基づく自動合焦動作がなされた撮像による画像データが前記記録媒体に記録され
　【発明の効果】
　【００１２】
　本発明によれば、自動合焦した領域にぼかし処理をしてしまったり、注目領域外のぼかし処理する領域を無駄に自動合焦してしまったりすることを防ぎ、また、合焦領域を含んだぼかし処理を行わない領域を注目領域に自動設定して「ミニチュア写真化」処理するための煩雑な手間を省くことができるという効果を奏する。
　【図面の簡単な説明】
　【００１３】
　【図１】本発明の実施形態１における撮像装置の概略構成を示したブロック図
　【図２】本実施形態１の撮像装置の上部外観図で、（ａ）は鏡胴ユニットの収納状態、（ｂ）は鏡胴ユニットの繰り出し状態を示す図
　【図３】本実施形態１の撮像装置における被写体側から見た外観図
　【図４】本実施形態１の撮像装置における撮影者側から見た外観図
　【図５】本実施形態１の撮像装置における受光画面とＡＦ領域を示す図
　【図６】ＡＦ処理の基本制御方式を示すフローチャート
　【図７】ＡＦ評価値のピークの検出方法に用いる平滑微分の説明図
　【図８】本実施形態１の撮像装置における事例で（ａ）は１５分割したＡＦ領域、（ｂ）は合焦する表示枠、（ｃ）は注目領域，ぼかし領域を示す図
　【図９】本実施形態１の撮像装置の領域選択動作を示すフローチャート
　【図１０】本実施形態１の撮像装置の領域のユーザ設定動作を示すフローチャート
　【図１１】本実施形態１の注目領域の設定例であり（ａ）は円形、（ｂ）は矩形を示す図
　【図１２】本実施形態１の注目領域／ぼかし領域の設定画面の例であり（ａ），（ｂ）は矩形、（ｃ），（ｄ）は円形の場合を示す図
　【図１３】本実施形態１のぼかし領域とＡＦ領域の関係（ａ）〜（ｄ）を示す図
　【図１４】本発明の実施形態２の撮像装置の領域の自動設定動作を示すフローチャート
　【図１５】本実施形態２の撮像装置における事例であり対象物の移動に伴う（ａ）は表示枠、（ｂ）は注目領域／ぼかし領域を示す図
　【発明を実施するための形態】
　【００１４】
　以下、図面を参照して本発明における実施の形態を詳細に説明する。
　【００１５】
　図１は本発明の実施形態１における撮像装置の概略構成を示したブロック図である。また、図２本実施形態１の撮像装置（デジタルカメラ）を上部から見た外観図であり、（ａ）は鏡胴ユニットの収納状態、（ｂ）は鏡胴ユニットの繰り出し状態を示している。また、図３は撮像装置（デジタルカメラ）を前方すなわち被写体側から見た外観図、図４は撮像装置（デジタルカメラ）を後方すなわち撮影者側から見た外観図である。
　【００１６】
　図１に示すように、撮像装置（デジタルカメラ１）において、鏡胴ユニット２における撮像レンズ部として、ズームレンズ、フォーカスレンズ、メカニカルシャッター、絞りから構成される。それぞれズーム機能を実現するためのズーム制御部２１、被写体に合焦処理するための機能を持つフォーカス制御部２２、被写体の明るさを制御する絞り制御部やシャッター制御を行う絞り・シャッター制御部２３、起動時にこれらの鏡胴ユニット２を繰り出し、あるいは収納するための鏡胴収納／繰出制御部２４から構成される。
　【００１７】
　ズームレンズやフォーカスレンズは、モータ（図示せず）によって動作する。図２（ａ）は鏡胴ユニット２が収納されている状態を外観図で示し、（ｂ）は鏡胴ユニットを繰り出したときの外観図を示している。図２（ａ），（ｂ）はデジタルカメラ１を上から見た図であり、上部には、レリーズシャッター４、モードダイアル５、電源スイッチ３が配置されている。
　【００１８】
　モードダイアル５は、撮像モード、撮像した写真を表示するための再生モード、各種設定をするためのセットアップモード、あるいは人物を撮像するためのポートレートモードや夜景を撮像するためのポートレートモードなどがユーザに提供され、ユーザはそれぞれのモードを先述のモードダイアル５で切替えを行う。
　【００１９】
　本実施形態１において「ミニチュア写真化」モード（通常の写真においてミニチュアを撮像したような写真に加工して記録する撮像モード）も同様にこのモードダイアル５に割り当てられていてもよい。例えば、撮像のモードにダイアルが設定されている場合は、鏡胴ユニット２を撮像可能位置まで繰り出しモニタリング状態になる。
　【００２０】
　モニタリング状態においては、撮像を行うユーザが被写体を図４に示す外観図の表示部（ＬＣＤモニタ）１８によりリアルタイムで見ている状態である。この状態において、レリーズシャッター４は解放されている状態であって、ズームレンズやフォーカスレンズを通して、受光した像は、受光素子であるＣＣＤあるいはＣＭＯＳのＣＣＤ／ＣＭＯＳ部２０より電気信号に変換され、デジタルの画像データとして画像処理部２５へ転送される。その画像は表示部（ＬＣＤモニタ）１８にてリアルタイムで表示されている。通常は１秒間に３０フレームで画素数は６４０×４８０といった小さい画像が転送され、表示部（ＬＣＤモニタ）１８に表示されることでユーザはリアルタイムで被写体を確認しレリーズシャッター４を押す機会を待つ。
　【００２１】
　レリーズシャッター４は、２段になっているものが多く、ボタンを半押しした状態を第１レリーズ、全押し（押下、押し込み）した状態を第２レリーズと定義する。レリーズシャッター４を半押しする第１レリーズによりオートフォーカス（ＡＦ：自動合焦）処理が行われる。すなわちフォーカスがロックされる。これについて以下に説明する。
　【００２２】
　レリーズシャッター４が半押し（第１レリーズ）されると、ＣＣＤ／ＣＭＯＳ部２０から、画像処理部２５に取り込まれたＹＵＶ信号より、画面の合焦度合いを示すＡＦ評価値、露光状態を示すＡＥ評価値を算出する。ＡＦ評価値データは、特徴データとしてシステム制御部２９に読み出されて、自動合焦（ＡＦ）の処理に利用される。この積分値は合焦状態にあるとき、被写体のエッジ部分がはっきりとしているため、高周波成分が一番高くなる。これを利用して、ＡＦ処理による合焦検出動作時は、それぞれのフォーカスレンズ位置におけるＡＦ評価値を取得して、その極大になる点（ピーク位置）を検出する。
　【００２３】
　また、極大になる点が複数あることも考慮にいれ、複数あった場合はピーク位置の評価値の大きさや、その周辺の評価値との下降、上昇度合いを判断し、最も信頼性のある点を合焦位置としてＡＦ処理を実行する。
　【００２４】
　またＡＦ評価値は、デジタルＲＧＢ信号内の特定の範囲から算出することができる。表示部１８内の中心枠がこのデジタルカメラ１でのＡＦ領域である。図５に示すようにＲＧＢ信号内の水平６０％、垂直５０％とする。
　【００２５】
　次にＡＥ評価値は、図示しないがＹＵＶ信号を幾つかの領域（このデジタルカメラ１では水平１６×垂直１６個）に分割して、その領域内を測光した輝度データを用いる。各領域内の画素に対して所定の閾値を超えるものを対象画素とし、その輝度値を加算、対象画素数で乗算することによって求められる。各領域の輝度分布により、適正露光量を算出し、次のフレームの取り込みに対し補正を行う。
　【００２６】
　自動合焦（ＡＦ）処理の基本制御方式に関しては、図６のフローチャートに従って実行している。所定パルス量フォーカスを移動（Ｓ１）、その後ＡＦ領域のデータに基づいて、ＡＦ評価値を取得する（Ｓ２）。平滑微分演算（Ｓ３）、ピーク検出処理（Ｓ４）等により取得した結果からピーク検出を確認し（Ｓ５）、ピークが検出されている場合（処理Ｓ５のＹｅｓ）は、その結果をもとにピーク位置の算出を行って（Ｓ９）終了処理へと移行し、ピークが検出されていない場合（処理Ｓ５のＮｏ）は、終了位置を確認し（Ｓ６）、終了位置になるまで（処理Ｓ６のＮｏ）、再びフォーカス駆動、ＡＦ評価値の取得を繰り返し、ピークを検出した時点で終了する。
　【００２７】
　また、終了位置までフォーカスを移動してピーク位置を検出できない場合（Ｓ６のＮｏ）、すなわち「至近」〜「無限」までフォーカスが合わない場合、ピーク領域選択処理を行う（Ｓ７）。１例として、至近側が無限より評価値が得られている場合は、被写体が近すぎると判断し、「ＮＧ」としてＡＦが合わないことを表示部に表示する（Ｓ８）。「ＮＧ」の結果をもとにピーク位置（なし）の算出を行って（Ｓ９）終了処理へと移行する。
　【００２８】
　前述のピークの検出方法としては、平滑微分を用いることが多いが、合焦領域のＡＦ評価値が０からマイナスの値になる時点で、ＡＦ評価値のピークを検出すなわち認定とする（図７参照）。
　【００２９】
　ＡＦ処理に関しては、前述にて説明した第１レリーズにて合焦するワンショットオートフォーカスの方式もあれば、近年では、被写体の顔を検出し、検出した顔にピントを合わせた後、もし顔が移動しても移動した位置の顔にピントを合わせ続けるいわゆる動体追従オートフォーカスを行う方式もある。これは、いわゆる被写体検出モードと呼ばれ、移動している対象物にピントを合わせ続けることを目的としている。
　【００３０】
　また、図８（ａ）〜（ｃ）はマルチオートフォーカスの事例を示す図である。先ほどの図５に示した例では、ＡＦ領域は１エリアであったが、本マルチオートフォーカスの処理事例では、図８（ａ）のように１５分割したＡＦ領域２０ｂにおいて、それぞれのＡＦ領域２０ｂにピークを検出する。隣り合ったエリアが２箇所以上ピークを検出すれば、合焦したとみなし、合焦したことをユーザに知らせるため、図４の表示部１８に、図８（ｂ）にて一点鎖線で示す表示枠１８ａを表示し、またスピーカから「ピピッ」といった合焦したことを報知する音を鳴らす。
　【００３１】
　通常のデジタルカメラは、専用のバッテリーや、単三などの電池より電源を供給し、ＤＣ／ＤＣコンバーター等の図１に示す電源回路部１６より各ブロックに適切な電圧を供給する。画像処理部２５は、前述したデジタルの画像データに対して各種画像処理を施すものである。第２レリーズが押下される（レリーズシャッター４を全押しされる）と、主画像が、例えば１０ＭのＣＣＤであれば、１０Ｍの画像サイズのデジタル画像ＹＵＶ信号が、画像処理部２５に転送される。
　【００３２】
　さらに、ＹＵＶ形式（Ｙ：輝度データ，ＵＶ：色差データ）に変換するための画像フォーマットを変換する画像変換機能を持つ。ＹＵＶデータをＪＰＥＧ方式に準拠した圧縮方式にて圧縮、または圧縮された画像を伸長するための、圧縮・伸長機能、および指定された領域をぼかし処理するための画像処理機能を持つ。
　【００３３】
　また、ＳＤＲＡＭ，フラッシュメモリ等のメモリ部（揮発性，不揮発性）２５，２７、画像処理部２５、外部メモリカードＩ／Ｆ部１７、システム制御部２９、ＵＳＢ通信部１２、表示部１８は、システムバス３０によって相互接続されている。
　【００３４】
　圧縮された画像データは、デジタルカメラのファイルフォーマットＥｘｉｆ準拠となるよう、撮像時の条件やデジタルカメラの機種名をＪＰＥＧデータのヘッダーとして付加し、撮像したＪＰＥＧファイルとしてメモリ部（揮発性：ＳＤＲＡＭ）２６に一時保管される。外部メモリカードＩ／Ｆ部１７は、コンパクトフラッシュ（登録商標）や、ＳＤカードなど複数種類発売されているが、脱着可能に設けられ、前述のＪＰＥＧファイルを格納する。
　【００３５】
　図９、図１０は本実施形態１の撮像装置の動作を示すフローチャートであり、図９、図１０に従って、図１〜図８を参照しながら説明する。
　【００３６】
　図９に示すように、デジタルカメラ１の電源をオンする（Ｓ１１）と、まずは、システム制御部２９において動作プログラムが起動しセットアップの処理においてした設定内容の読み出しを行う（Ｓ１２）。この設定内容は、メモリ部（不揮発性）２７に格納されており、電源をオフしても内容が失われることはない。本実施形態１では、「ミニチュア写真化」の撮像を行うための設定内容として例えば、「ぼかし領域はユーザが設定する」か「ぼかし領域はＡＦ処理結果より自動設定する」かのどちらをユーザが設定したかを判断し（Ｓ１３）、「ユーザ設定」の場合は、図１０に示すフローチャートの処理へ移行する。また、処理Ｓ１３で「自動設定」の場合は、図１４に示すフローチャートへ移行する。
　【００３７】
　また、セットアップの処理では、操作部１９である図４に示すＭＥＮＵボタン１５ａや上下左右ボタン１４ｂ〜１４ｅにおいて、ユーザが表示部（ＬＣＤモニタ）１８を見ながら設定する。ここで設定した内容は、メモリ部（不揮発性）２７に格納される。
　【００３８】
　次に、図９の処理Ｓ１３において「ユーザ設定」の場合、図１０のフローチャートに示すように、「ミニチュア写真化」モード（以下、ミニチュアモードという）であるかどうかを判断する（Ｓ１４）。この場合はモードダイアル５の設定により判断可能である。ミニチュアモードではない場合（処理Ｓ１４のＮｏ）、通常撮像のモニタリングの処理を行い（Ｓ１５）、ミニチュアモードの場合（処理Ｓ１４のＹｅｓ）、ユーザが設定したぼかし領域の設定に基づいて、ぼかし処理を行いモニタリングする（Ｓ１６）。なお、第１レリーズが押されるとＡＦ領域においてＡＦ処理が実行される。
　【００３９】
　ユーザのぼかし領域の設定例を図１１（ａ）に記載する。ぼかさないで合焦処理する注目領域１８ｃを左下に、その周辺を少しぼかすために弱くぼかし処理する中間領域１８ｄ、それ以外のぼかし処理するぼかし領域１８ｂと設定されている。また、図１１（ｂ）は、矩形で合焦処理する注目領域１８ｃ、弱くぼかし処理する中間領域１８ｄ、残りのぼかし処理するぼかし領域１８ｂを設定している。
　【００４０】
　モニタリング時に画像をぼかし処理する場合には、ユーザが分かり易いように、表示部１８にＯＳＤ（オンスクリーンディスプレイ）を表示してもよい。具体的には、ぼかさない注目領域１８ｃは透過率が１００％のプレーンとし、ぼかし領域１８ｂは透過率が５０％とすることで、実際にモニタリングする画像データをぼかし処理しなくとも、ユーザは設定したぼかし領域１８ｂをモニタリング時に認識しながら撮像することが可能である。
　【００４１】
　また、モニタリング時にぼかし領域１８ｂを変更する旨のユーザ要求があった場合（Ｓ１７）、これを確認すると（処理Ｓ１７のＹｅｓ）、ぼかし領域１８ｂの設定画面へ移行する（Ｓ１８）。この要求のトリガは、図４のディスプレイボタン１５ｄをユーザが押すと、図１２（ａ）〜（ｄ）に示すような注目領域／ぼかし領域の設定画面に移行する。図１２（ａ），（ｂ）の矩形の注目領域設定の場合は、注目領域１８ｃを上下に上下キーで移動する（上ボタン１４ｂ、下ボタン１４ｃの押下）ことで移動する。また、注目領域１８ｃの幅は、左右キーで操作する（左／ストロボボタン１４ｅ、右／マクロボタン１４ｄの押下）。図１２（ｃ），（ｄ）の場合は円形の注目領域１８ｃである。この場合は、上下左右キー（ボタン１４ｂ，ｃ，ｄ，ｅ）で注目領域１８ｃを移動し、ズームスイッチ（ＷＩＤＥ）１３ａで注目領域１８ｃを大きくし、ズームスイッチ（ＴＥＬＥ）１３ｂで注目領域１８ｃを小さくする。
　【００４２】
　この処理Ｓ１８において、領域が変更されると、例えば処理Ｓ１６へ戻り、変更されて領域に基づきぼかし処理を行って、モニタリングする。
　【００４３】
　このように、ユーザは注目領域１８ｃやぼかし領域１８ｂを設定することが可能である。このとき、第１レリーズを押下するとＡＦ領域をユーザが設定変更したぼかし領域１８ｂにあわせてＡＦ処理を行う。ぼかし領域１８ｂとＡＦ領域２０ｂの関係は、図１３（ａ）〜（ｄ）に例を記載する。図１３（ｂ）の場合は、注目領域１８ｃは狭く中心は上に設定されている。この場合においては、ＡＦ領域２０ｂも同様に狭く中心を上にもっていき領域の範囲も狭くなる。ＡＦの評価データも通常の領域より狭いため、ＡＦ処理は早く、ＡＦ領域２０ｂにある被写体にフォーカスレンズを動かし合焦する。
　【００４４】
　さらに、デジタルカメラ１が被写体検出モードであるか確認する（Ｓ１９）。ここで、モニタリング時に被写体検出モードであった場合（処理Ｓ１９のＹｅｓ）、例えば、顔検出モードであった場合においては、モニタリング時にモニタリング画像から顔があるかどうかを検出する。一度顔を検出すると、顔に合わせてモニタリング時に合焦処理を行う。この場合通常は、ＡＦと同様に顔検出する領域は広い範囲であるが、図１３（ａ）のようにぼかし領域１８ｂを設定している場合においては、その領域外（注目領域１８ｃ）を中心に検出するため、検出速度も速くなる。また、ぼかし領域１８ｂ内に検出した顔が移動すれば、検出を中止する（Ｓ２０）。
　【００４５】
　また、合焦処理と同様に露出の制御も図１に示す絞り・シャッター制御部２３によって行うが、注目領域を中心に露出が合うように制御する。レリーズシャッター（第２レリーズ）が押されたかどうかを確認する（Ｓ２１）。第２レリーズが押されなければ（処理Ｓ２１のＮｏ）、処理Ｓ１６からモニタリングの処理を繰り返す。第２レリーズが押されると（処理Ｓ２１のＹｅｓ）、ＡＦ領域のＡＦ処理、露出領域の露出処理、ぼかし領域の処理の制限等を行い撮像の準備を行う（Ｓ２２）。シャッター制御を行って、ＣＣＤ／ＣＭＯＳ部２０から主画像が、画像処理部２５へ転送され、メモリ部２６に展開される（Ｓ２３）。これを第１画像とする。また、展開された第１画像をメモリ部２６の別の領域に複製する（Ｓ２４）。複製された画像を第２画像とする。
　【００４６】
　この第２画像に対して、ユーザが設定した所定のぼかし領域１８ｂにぼかし処理を行う（Ｓ２５）。第１，第２画像はそれぞれ圧縮され、ＪＰＥＧ画像として画像ファイル化され、ＳＤカードに蓄積される（Ｓ２６）。
　【００４７】
　本実施形態１では、ユーザによりあらかじめ設定、変更された注目領域において、被写体に合焦するため合焦領域の一部が注目領域内にあれば合焦処理を行い、注目領域外にあれば合焦処理を行わないことから、無駄な合焦処理や露光処理をすることがなくなる。
　【００４８】
　また、図１４は本発明における実施形態２の撮像装置の動作を示すフローチャートであり、図１４に従って、図１〜図８を参照しながら説明する。ここで、図１４において、前述の図１０により説明した構成要素に対応し同等のものには同一の符号を付して示す。
　【００４９】
　前述の図９に示す処理Ｓ１３において「自動設定」の場合、図１４のフローチャートに示すように、ミニチュアモードであるかを判断する（Ｓ１４）。ミニチュアモードの場合（処理Ｓ１４のＹｅｓ）、第１レリーズが押されＡＦ処理が実行されるが、ＡＦ領域を中心として注目領域とし、その周囲をぼかし領域としてぼかし処理を行う。この場合、ユーザに分かるように、第１レリーズの際には図８（ｃ）に示すように矩形でＯＳＤ表示（注目領域１８ｃ）を行ってもよく。また円形の場合は、図１５（ｂ）のようにＯＳＤ表示（注目領域１８ｃ）を行ってもよい。
　【００５０】
　本実施形態２では、注目領域／ぼかし領域を自動設定するため、前述の図１０に示したぼかし領域を設定する処理Ｓ１６〜Ｓ１８を行うことなく、処理Ｓ１９の被写体検出モードであるかの確認が行われる。被写体検出モードの場合（処理Ｓ１９のＹｅｓ）は、処理Ｓ２０に代えて、ＡＦ処理する被写体検出した領域を注目領域の中心として、その周囲をぼかし領域とするモニタリングを行う（Ｓ３０）。
　【００５１】
　被写体検出モードで、顔検出された場合においては、モニタリング時に、図１５（ａ）のように顔を一点鎖線で示す表示枠１８ａにより検出されたことが分かるようにＯＳＤ表示を行うが、ミニチュアモードの場合には、図１５（ｂ）に示すように、ぼかさない注目領域１８ｃは透過率が１００％のプレーン、ぼかし領域１８ｂは透過率が５０％とした領域表示とするようにしてもよい。
　【００５２】
　そして、自動設定された注目領域におけるＡＦ処理は前述したとおりであり、実際に第２レリーズが押下（処理Ｓ２１のＹｅｓ）されて撮像した場合の処理は、撮像素子より主画像を取り込み、以下は、図１０のフローチャートの処理Ｓ２２〜Ｓ２６としてした説明と同じである。
　【００５３】
　また、本実施形態２により注目領域が自動的に設定され、無駄な合焦、露光処理を行うことなく、「ミニチュア写真化」処理する被写体を画角内における任意の位置に変更することが可能となり、設定等の煩雑な手間を軽減することができる。
　【産業上の利用可能性】
　【００５４】
　本発明に係る撮像装置および撮像方法は、自動合焦した領域にぼかし処理をしてしまったり、注目領域外のぼかし処理する領域を無駄に自動合焦してしまったりすることを防ぎ、また、合焦領域を含んだ領域を注目領域に自動設定して「ミニチュア写真化」処理するための煩雑な手間を省くことができ、携帯電話機、携帯情報端末（ＰＤＡ）、玩具などの電子機器に適用でき、画像処理機構に用いて有用である。
　【符号の説明】
　【００５５】
１　デジタルカメラ
２　鏡胴ユニット
３　電源スイッチ
４　レリーズシャッター
５　モードダイアル
６　バッテリー
７　ＳＤカード
１６　電源回路部
１７　外部メモリカードＩ／Ｆ部
１８　表示部
１８ａ　表示枠
１８ｂ　ぼかし領域
１８ｃ　注目領域
１８ｄ　中間領域
２０　ＣＣＤ／ＣＭＯＳ部
２０ａ　受光画面
２０ｂ　ＡＦ領域
２５　画像処理部
２６　メモリ部（揮発性）
２７　メモリ部（不揮発性）
２９　システム制御部
　【先行技術文献】
　【特許文献】
　【００５６】
　【特許文献１】特開２００９−２７２９８号公報
　【特許文献２】特表２００８−５２９３２２号公報
（５７）【特許請求の範囲】
　【請求項１】
　被写体を撮像して画像データを出力する撮像手段と、
　前記画像データに基づいた表示画像を表示する表示手段と、
　前記表示手段に表示された表示画像の少なくとも一部の領域に、画像処理によりぼかし処理を施すぼかし処理手段と、
　前記表示画像において、前記ぼかし処理手段がぼかし処理を施す第一の領域、またはぼかし処理を施さない第二の領域の少なくともどちらか一方を指定することで、前記ぼかし処理手段がぼかし処理を施す第一の領域を指定する領域指定手段と、
　を備え、
　
前記第二の領域は横長の帯状形状であり、
　画像の撮像を行う際のモニタリング状態において、
　前記領域指定手段は、前記第二の領域を形状と大きさを保って前記表示手段の表示領域内を移動し、
　前記ぼかし処理手段は前記第二の領域の移動に基づき前記第一の領域についてぼかし処理を施し、
　前記第二の領域に対応する前記画像データの領域と少なくとも一部が重なる領域を、オートフォーカス評価値を取得する領域とし、
　自動合焦動作の実行を指示する自動合焦動作指示手段
と、記録媒体への画像データの記録を指示する記録指示手段と、
　
前記第二の領域の移動に基づき前記第一の領域についてぼかし処理が施された画像が前記表示手段に表示された状態で前記
前記第二の領域の移動に基づき
であって当該オートフォーカス評価値を取得する領域の中心が前記第二の領域に対応する前記画像データの領域に含まれる領域
、
　
前記記録指示手段により画像データの記録が指示されると、前記設定された領域に基づく自動合焦動作がなされた撮像による画像データが前記記録媒体に記録され
　【請求項２】
（削除）
　【請求項３】
　被写体を撮像して画像データを出力する撮像手段と、
　前記画像データに基づいた表示画像を表示する表示手段と、
　前記表示手段に表示された表示画像の少なくとも一部の領域に、画像処理によりぼかし処理を施すぼかし処理手段と、
　前記表示画像において、前記ぼかし処理手段がぼかし処理を施す第一の領域、またはぼかし処理を施さない第二の領域の少なくともどちらか一方を指定することで、前記ぼかし処理手段がぼかし処理を施す第一の領域を指定する領域指定手段と、
　を備え、
　
前記第二の領域は横長の帯状形状であり、
　画像の撮像を行う際のモニタリング状態において、
　前記領域指定手段は、前記第二の領域を形状と大きさを保って前記表示手段の表示領域内を移動し、
　前記ぼかし処理手段は前記第二の領域の移動に基づき前記第一の領域についてぼかし処理を施し、
　前記第二の領域に対応する前記画像データの領域と少なくとも一部が重なる領域を、オートフォーカス評価値を取得する領域とし、
　
自動合焦動作の実行を指示する自動合焦動作指示手段と、記録媒体への画像データの記録を指示する記録指示手段と、を有し、
　
前記第二の領域の移動に基づき前記第一の領域についてぼかし処理が施された画像が前記表示手段に表示された状態で前記自動合焦動作指示手段により自動合焦動作の実行が指示されると、前記オートフォーカス評価値を取得する領域が、前記第二の領域の移動に基づき当該オートフォーカス評価値を取得する領域の中心が前記第二の領域に対応する前記画像データの領域に含まれる領域に設定され、
　前記表示手段に、前記オートフォーカス評価値を取得する領域を識別可能に表示
し、
　
前記記録指示手段により画像データの記録が指示されると、前記設定された領域に基づく自動合焦動作がなされた撮像による画像データが前記記録媒体に記録され
　【請求項４】
（削除）
　【請求項５】
　前記画像データの少なくとも一部の領域を測光領域として測光する測光手段をさらに備え、
　前記測光領域は、前記第二の領域に対応する前記画像データの領域と少なくとも一部が重なるように設定されることを特徴とする請求項１に記載の撮像装置。
　【請求項６】
　前記表示手段に、前記オートフォーカス評価値を取得する領域を識別可能に表示することを特徴とする請求項１
、
　【請求項７】
（削除）
　【請求項８】
　前記表示手段に、前記第一の領域、または前記第二の領域の少なくともどちらか一方を識別可能に表示することを特徴とする請求項１
、
、６
　【請求項９】
　ミニチュア写真の撮像方法であって、
　被写体を撮像して画像データを出力する撮像工程と、
　前記画像データに基づいた表示画像を表示する表示部において、前記表示画像の少なくとも一部の領域に、画像処理によりぼかし処理を施すぼかし処理工程と、
　前記表示画像において、前記ぼかし処理工程がぼかし処理を施す第一の領域、またはぼかし処理を施さない
横長の帯状形状である
　を備え、
　モニタリング状態において、
　前記領域指定工程は、前記第二の領域を形状と大きさを保って前記表示部の表示領域内を移動し、
　前記ぼかし処理工程は前記第二の領域の移動に基づき前記第一の領域についてぼかし処理を施し、
　前記第二の領域に対応する前記画像データの領域と少なくとも一部が重なる領域を、オートフォーカス評価値を取得する領域とし、
　自動合焦動作の実行を指示する自動合焦動作指示工程
と、記録媒体への画像データの記録を指示する記録指示工程と、
　
前記第二の領域の移動に基づき前記第一の領域についてぼかし処理が施された画像が前記表示部に表示された状態で前記
前記第二の領域の移動に基づき
であって当該オートフォーカス評価値を取得する領域の中心が前記第二の領域に対応する前記画像データの領域に含まれる領域
、
　
前記記録指示工程により画像データの記録が指示されると、前記設定された領域に基づく自動合焦動作がなされた撮像による画像データが前記記録媒体に記録され
　【請求項１０】
（削除）
　【請求項１１】
　ミニチュア写真の撮像方法であって、
　被写体を撮像して画像データを出力する撮像工程と、
　前記画像データに基づいた表示画像を表示する表示部において、前記表示画像の少なくとも一部の領域に、画像処理によりぼかし処理を施すぼかし処理工程と、
　前記表示画像において、前記ぼかし処理工程がぼかし処理を施す第一の領域、またはぼかし処理を施さない
横長の帯状形状である
　を備え、
　モニタリング状態において、
　前記領域指定工程は、前記第二の領域を形状と大きさを保って前記表示部の表示領域内を移動し、
　前記ぼかし処理工程は前記第二の領域の移動に基づき前記第一の領域についてぼかし処理を施し、
　前記第二の領域に対応する前記画像データの領域と少なくとも一部が重なる領域を、オートフォーカス評価値を取得する領域とし、
　
自動合焦動作の実行を指示する自動合焦動作指示工程と、記録媒体への画像データの記録を指示する記録指示工程と、を有し、
　
前記第二の領域の移動に基づき前記第一の領域についてぼかし処理が施された画像が前記表示部に表示された状態で前記自動合焦動作指示工程により自動合焦動作の実行が指示されると、前記オートフォーカス評価値を取得する領域が、前記第二の領域の移動に基づき当該オートフォーカス評価値を取得する領域の中心が前記第二の領域に対応する前記画像データの領域に含まれる領域に設定され、
　前記表示部に、前記オートフォーカス評価値を取得する領域を識別可能に表示
し、
　
前記記録指示工程により画像データの記録が指示されると、前記設定された領域に基づく自動合焦動作がなされた撮像による画像データが前記記録媒体に記録され
　【請求項１２】
（削除）
　【請求項１３】
　前記画像データの少なくとも一部の領域を測光領域として測光する測光工程をさらに備え、
　前記測光領域は、前記第二の領域に対応する前記画像データの領域と少なくとも一部が重なるように設定されて撮像を行うことを特徴とする請求項９に記載の撮像方法。
　【請求項１４】
　前記表示部に、前記オートフォーカス評価値を取得する領域を識別可能に表示することを特徴とする請求項９
、
　【請求項１５】
（削除）
　【請求項１６】
　前記表示部に、前記第一の領域、または第二の領域の少なくともどちらか一方を識別可能に表示することを特徴とする請求項９
、
、
、１４